(57)【特許請求の範囲】
【請求項１】
表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置であって、
上記駆動制御部は、
上記表示画面のうち上記補正処理の対象領域である補正領域に含まれる画素の階調値を補正するための補正データの生成に用いる補正データ生成用データを圧縮処理した圧縮データを記憶する不揮発性の記憶媒体からなる補正データ生成用データ記憶部と、
上記圧縮データを復号する復号部と、
上記表示用画像データに応じた画像を上記表示画面に表示させる際に、上記復号部が上記補正データ生成用データ記憶部に記憶されている上記圧縮データを復号することによって再現された補正データ生成用データに基づいて上記補正領域に含まれる画素のうちの少なくとも一部の画素の階調値を変化させるように上記表示用画像データを補正するための上記補正データを生成する補正データ作成部と、
上記補正データ作成部が生成した上記補正データにおける各画素の階調補正値を、当該各画素に対応する上記表示用画像データの画素の輝度値に加算または減算することによって上記補正処理を行う加減算部とを備え、
上記補正データ作成部は、
上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、かつ、上記調整補正画素が上記補正領域内において時間的または空間的に分散するように各調整補正画素を選択し、
上記加減算部は、上記表示用画像データおよび上記補正データがそれぞれ１画素分ずつ直列に入力されるようになっており、直列に入力される上記表示用画像データの各画素の輝度値に対して、当該各画素に対応する上記補正データの画素の階調補正値を１画素ずつ順次、加算または減算し、
上記表示画面は、互いに平行に配置された多数の走査信号線と互いに平行に配置された多数のデータ信号線とが交差するように配置され、上記走査信号線と上記データ信号線との交差部毎に画素が設けられており、
上記加減算部によって上記補正処理が施された１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、
上記加減算部によって上記補正処理が施されて上記ＲＡＭに記憶されている表示用画像データに対して上記補正処理の逆処理である逆変換処理を行い、上記補正処理が施される前の表示用画像データを復元する逆変換処理部と、
上記逆変換処理によって復元された上記表示用画像データと、上記ＲＡＭに記憶されている表示用画像データの次に表示を行うフレームである第２フレームの表示用画像データとを比較するフレーム比較部とを備え、
上記加減算部は、上記逆変換処理によって復元された上記表示用画像データと上記第２フレームの表示用画像データとが異なると上記フレーム比較部が判断した場合に、上記第２フレームの表示用画像データの各画素の輝度値に対して、当該各画素に対応する上記補正データの画素の階調補正値を加算または減算することによって上記補正処理を行い、上記ＲＡＭに記憶させる１フレーム分の表示用画像データを上記補正処理後の表示用画像データに更新する一方、上記逆変換処理によって復元された上記表示用画像データと上記第２フレームの表示用画像データとが同じであると上記フレーム比較部が判断した場合には上記ＲＡＭに記憶させる表示用画像データの更新を行わないことを特徴とする表示装置。
【請求項２】
上記補正データ作成部は、上記調整補正画素同士を上記補正領域内において空間的に分散させるように各調整補正画素を選択することを特徴とする請求項１に記載の表示装置。
【請求項３】
上記補正データ作成部は、上記調整補正画素として選択する画素を上記補正領域内において所定期間毎に変更することにより上記調整補正画素を時間的に分散させることを特徴とする請求項１または２に記載の表示装置。
【請求項４】
表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置における上記表示画面の輝度ムラ補正方法であって、
上記表示画面のうち上記補正処理の対象領域である補正領域に含まれる画素の階調値を補正するための補正データの生成に用いる補正データ生成用データを圧縮処理した圧縮データを記憶する不揮発性の記憶媒体からなる補正データ生成用データ記憶部に記憶させる記憶工程と、
上記圧縮データを復号する復号工程と、
上記表示用画像データに応じた画像を上記表示画面に表示させる際に、上記復号工程により上記補正データ生成用データ記憶部に記憶されている上記圧縮データを復号することによって再現された補正データ生成用データに基づいて上記補正領域に含まれる画素のうちの少なくとも一部の画素の階調値を変化させるように上記表示用画像データを補正するための上記補正データを生成する補正データ作成工程と、
上記補正データ作成工程で生成した上記補正データにおける各画素の階調補正値を、当該各画素に対応する上記表示用画像データの画素の輝度値に加算または減算することによって上記補正処理を行う加減算工程とを含み、
上記補正データ作成工程では、
上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、かつ、上記調整補正画素が上記補正領域内において時間的または空間的に分散するように各調整補正画素を選択し、
上記加減算工程では、上記表示用画像データおよび上記補正データがそれぞれ１画素分ずつ直列に入力され、直列に入力される上記表示用画像データの各画素の輝度値に対して、当該各画素に対応する上記補正データの画素の階調補正値を１画素ずつ順次、加算または減算し、
上記表示画面は、互いに平行に配置された多数の走査信号線と互いに平行に配置された多数のデータ信号線とが交差するように配置され、上記走査信号線と上記データ信号線との交差部毎に画素が設けられており、
上記加減算工程で上記補正処理が施された１フレーム分の上記表示用画像データをＲＡＭに記憶させる工程と、
上記ＲＡＭに記憶させた表示用画像データを上記表示画面の１走査信号線に対応する画素毎あるいは１走査信号線に対応する各画素を複数の画素からなるグループに分割したグループ毎に並列に出力する工程と、
上記加減算工程で上記補正処理が施されて上記ＲＡＭに記憶されている表示用画像データに対して上記補正処理の逆処理である逆変換処理を行い、上記補正処理が施される前の表示用画像データを復元する逆変換処理工程と、
上記逆変換処理によって復元された上記表示用画像データと、上記ＲＡＭに記憶されている表示用画像データの次に表示を行うフレームである第２フレームの表示用画像データとを比較するフレーム比較工程とを含み、
上記加減算工程では、上記逆変換処理によって復元された上記表示用画像データと上記第２フレームの表示用画像データとが異なると上記フレーム比較工程で判断した場合に、上記第２フレームの表示用画像データの各画素の輝度値に対して、当該各画素に対応する上記補正データの画素の階調補正値を加算または減算することによって上記補正処理を行い、上記ＲＡＭに記憶させる１フレーム分の表示用画像データを上記補正処理後の表示用画像データに更新する一方、上記逆変換処理によって復元された上記表示用画像データと上記第２フレームの表示用画像データとが同じであると上記フレーム比較工程で判断した場合には上記ＲＡＭに記憶させる表示用画像データの更新を行わないことを特徴とする表示装置の輝度ムラ補正方法。
【発明の詳細な説明】
【技術分野】
【０００１】
本発明は、表示装置の表示画面における輝度ムラを補正するための技術に関するものである。
【背景技術】
【０００２】
液晶表示装置やプラズマディスプレイ、有機ＥＬディスプレイ等の画像表示装置では、その製造工程上のさまざまな理由により、画面上の表示輝度が局所的に所望の輝度よりも暗くなったり明るくなったりする輝度ムラが発生することがある。
【０００３】
輝度ムラは、その形状に応じていくつかの種類に分類されるが、代表的なものに表示画面にスジ状の輝度ムラが生じるスジ状ムラと、局所的に斑点上の輝度ムラが生じる斑点状ムラがある。
【０００４】
例えば、小型高精細液晶パネルの製造工程においてガラス基板上にアモルファスシリコンを堆積した後、レーザー照射を行うことによって移動度の低いアモルファスシリコンを結晶化して移動度の高いポリシリコンに変化させる際に用いるレーザーの強度分布にムラがあると、レーザーのスキャン方向に沿ってポリシリコンの特性にムラが生じ、スジ状ムラの原因となる。また、表示装置中にはさまざまな寄生容量が存在するが、その寄生容量値が信号線などのライン毎にばらつくことによってスジ状ムラが生じる場合もある。
【０００５】
また、斑点状ムラは、例えば、表示パネルのセル厚が局所的に周囲と異なる、ＴＦＴの特性が局所的に異なる、電極パターン寸法が局所的に異なる、配向膜ピンホールが局所的に存在する、汚染異物が局所的に混入している、などの原因によって生じる。
【０００６】
輝度ムラを補正する方法として、例えば、特許文献１には、液晶表示装置においてバックライトからの距離に応じてバックライトからの照射光の光量が異なることに起因する輝度ムラを補正するために、バックライトからの距離に応じた係数を映像信号に乗算することで輝度ムラの補正を図ることが記載されている。
【先行技術文献】
【特許文献】
【０００７】
【特許文献１】特開２０００−２５３２７７号公報（平成１２年９月１４日公開）
【発明の概要】
【発明が解決しようとする課題】
【０００８】
しかしながら、上記特許文献１の技術では、乗算器およびビット圧縮回路を備える必要があるので、回路構成の複雑化および回路規模の増大を招いてしまうという問題がある。
【０００９】
本発明は、上記の問題点に鑑みてなされたものであり、その目的は、表示装置の輝度ムラを簡単な構成で適切に補正することのできる表示装置および輝度ムラ補正方法を提供することにある。
【課題を解決するための手段】
【００１０】
本発明の表示装置は、表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置であって、上記駆動制御部は、上記表示画面のうち上記補正処理の対象領域である補正領域に含まれる画素の階調値を補正するための補正データの生成に用いる補正データ生成用データを圧縮処理した圧縮データを記憶する不揮発性の記憶媒体からなる補正データ生成用データ記憶部と、上記圧縮データを復号する復号部と、上記表示用画像データに応じた画像を上記表示画面に表示させる際に、上記復号部が上記補正データ生成用データ記憶部に記憶されている上記圧縮データを復号することによって再現された補正データ生成用データに基づいて上記補正領域に含まれる画素のうちの少なくとも一部の画素の階調値を変化させるように上記表示用画像データを補正するための上記補正データを生成する補正データ作成部と、上記補正データ作成部が生成した上記補正データにおける各画素の階調補正値を、当該各画素に対応する上記表示用画像データの画素の輝度値に加算または減算することによって上記補正処理を行う加減算部とを備え、上記補正データ作成部は、上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、かつ、上記調整補正画素が上記補正領域内において時間的または空間的に分散するように各調整補正画素を選択することを特徴としている。
【００１１】
また、本発明の表示装置の輝度ムラ補正方法は、表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置における上記表示画面の輝度ムラ補正方法であって、上記表示画面のうち上記補正処理の対象領域である補正領域に含まれる画素の階調値を補正するための補正データの生成に用いる補正データ生成用データを圧縮処理した圧縮データを記憶する不揮発性の記憶媒体からなる補正データ生成用データ記憶部に記憶させる記憶工程と、上記圧縮データを復号する復号工程と、上記表示用画像データに応じた画像を上記表示画面に表示させる際に、上記復号工程により上記補正データ生成用データ記憶部に記憶されている上記圧縮データを復号することによって再現された補正データ生成用データに基づいて上記補正領域に含まれる画素のうちの少なくとも一部の画素の階調値を変化させるように上記表示用画像データを補正するための上記補正データを生成する補正データ作成工程と、上記補正データ作成工程で生成した上記補正データにおける各画素の階調補正値を、当該各画素に対応する上記表示用画像データの画素の輝度値に加算または減算することによって上記補正処理を行う加減算工程とを含み、上記補正データ作成工程では、上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、かつ、上記調整補正画素が上記補正領域内において時間的または空間的に分散するように各調整補正画素を選択することを特徴としている。
【００１２】
上記の表示装置および輝度ムラ補正方法によれば、輝度ムラを補正するための階調補正値を画素毎に示した補正データにおける各画素の階調補正値を当該各画素に対応する表示用画像データの画素の輝度値に加算または減算することによって表示用画像データの補正処理を行う。これにより、上述した従来の技術に比べて、乗算器やビット圧縮回路を備える必要がないので、回路規模を大幅に縮小し、製造コストを大幅に低減することができる。
【００１３】
また、検査用画像データに応じた画像を表示画面に表示させたときの輝度ムラの発生状況に応じて補正データを作成し、作成した補正データに応じて輝度ムラの補正処理を行うことができる。これにより、輝度ムラを適切に補正できる。
【００１４】
また、視認される画像を補正領域内の全画素の輝度値を表示用画像データの１階調分に相当する輝度値未満（あるいは表示用画像データの小数部分が０でない階調値に相当する輝度値）だけ一律に変化させた場合の画像に近づけることができる。すなわち、補正領域の全画素の輝度値を擬似的に表示用画像データの１階調分に相当する輝度値未満（あるいは表示用画像データの小数部分が０でない階調値に相当する輝度値）だけ補正することができる。したがって、輝度ムラが視認されることをより適切に防止することができる。
【００１５】
例えば、携帯型の電子機器等に備えられる中型・小型の表示装置などにはＲＧＢ各色６ｂｉｔの映像信号を用いて表示を行うものがあるが、これらの表示装置では映像信号における各階調間の輝度値の幅がＲＧＢ各色８ｂｉｔ等の表示装置に比べて大きくなる。このため、輝度ムラを補正するための補正値の大きさが映像信号の１階調に相当する値未満である場合が多く、従来のように補正領域内の階調補正値を一律にする構成では、補正量が不足したり補正量が多すぎたりして輝度ムラを適切に補正できなかった。これに対して、上記の構成によれば、視認される画像を、補正領域内の各画素を１階調分に相当する輝度値未満（あるいは表示用画像データの小数部分が０でない階調値に相当する輝度値）だけ一律に変化させた場合の画像に近づけることができるので、輝度ムラをより適切に補正できる。
【００１６】
また、補正領域内における調整補正画素の位置を分散させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【００１７】
また、上記補正データ作成部は、上記調整補正画素同士を上記補正領域内において空間的に分散させるように各調整補正画素を選択する構成としてもよい。
【００１８】
上記の構成によれば、補正領域内における調整補正画素の位置を分散させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【００１９】
また、上記補正データ作成部は、上記調整補正画素として選択する画素を上記補正領域内において所定期間毎に変更することにより上記調整補正画素を時間的に分散させる構成としてもよい。
【００２０】
上記の構成によれば、補正領域内における調整補正画素の位置を所定期間毎に変化させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【００２１】
また、上記表示画面は、互いに平行に配置された多数の走査信号線と互いに平行に配置された多数のデータ信号線とが交差するように配置され、上記走査信号線と上記データ信号線との交差部毎に画素が設けられており、上記加減算部によって上記補正処理が施された１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、上記加減算部によって上記補正処理が施されて上記ＲＡＭに記憶されている表示用画像データに対して上記補正処理の逆処理を行い、上記補正処理が施される前の表示用画像データを復元する逆変換処理部と、上記逆変換処理によって復元された上記表示用画像データと、上記ＲＡＭに記憶されている表示用画像データの次に表示を行うフレームである第２フレームの表示用画像データとを比較するフレーム比較部とを備え、上記加減算部は、上記逆変換処理によって復元された上記表示用画像データと上記第２フレームの表示用画像データとが異なると上記フレーム比較部が判断した場合に、上記第２フレームの表示用画像データの各画素の輝度値に対して、当該各画素に対応する上記補正データの画素の階調補正値を加算または減算することによって上記補正処理を行い、上記ＲＡＭに記憶させる１フレーム分の表示用画像データを上記補正処理後の表示用画像データに更新する一方、上記逆変換処理によって復元された上記表示用画像データと上記第２フレームの表示用画像データとが同じであると上記フレーム比較部が判断した場合には上記ＲＡＭに記憶させる表示用画像データの更新を行わない構成としてもよい。
【００２２】
上記の構成によれば、逆変換処理部がＲＡＭに格納されている補正処理後の表示用画像データに対して逆変換処理を行って補正処理前の表示用画像データを復元する。これにより、フレーム比較部において現フレームの表示用画像データ（ＲＡＭに格納されている表示用画像データに対して逆変換処理を施した表示用画像データ）と次フレーム（第２フレーム）の表示用画像データとを比較する際、補正処理が施されていない状態の表示用画像データ同士を比較することができる。したがって、現フレームの表示用画像データと次フレームの表示用画像データとが同じであるか否かを適切に判断することができる。また、加減算部では、ＲＡＭに格納する前の表示用画像データおよび補正データがそれぞれ１画素分ずつ直列に入力されるので、直列に入力される表示用画像データの各画素の輝度値に対して当該各画素に対応する補正データの画素の階調補正値を１画素ずつ順次、加算または減算することで補正処理を行える。したがって、簡単な構成で補正処理を行うことができる。
【００２３】
また、上記表示画面は、互いに平行に配置された多数の走査信号線と互いに平行に配置された多数のデータ信号線とが交差するように配置され、上記走査信号線と上記データ信号線との交差部毎に画素が設けられており、１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、１画素分ずつ直列に入力される上記補正データを上記表示画面の１走査信号線に対応する画素毎に対応する画素毎に並列に出力する直列入力並列出力型のシフトレジスタとを備え、上記加減算部は、上記ＲＡＭから上記表示画面の１走査信号線に対応する画素毎に並列に入力される上記表示用画像データの各画素に対して、上記シフトレジスタから上記表示画面の１走査信号線に対応する画素毎に並列に入力される補正データにおける上記各画素に対応する画素の階調補正値を並行して加算または減算する構成としてもよい。
【００２４】
上記の構成によれば、１走査信号線に対応する各画素に対する加算または減算処理を並行して行うので、処理時間の短縮を図ることができる。また、上記の加減算部は、例えば、１走査信号線に対応する画素の数に応じた加減算器を備えるだけで実現できるので、上述した従来技術のように乗算器やビット圧縮器を備える必要がなく、簡単な構成で表示用画像データの補正を行うことができる。
【発明の効果】
【００２５】
以上のように、本発明によれば、表示装置の輝度ムラを簡単な構成で適切に補正することができる。
【図面の簡単な説明】
【００２６】
【図１】本発明の一実施形態にかかる表示装置に備えられる駆動制御部の構成を示すブロック図である。
【図２】図１の表示装置およびこの表示装置における輝度ムラを補正するための補正データを生成する補正データ作成装置の構成を示すブロック図である。
【図３】図２に示した補正データ作成装置において撮像データから抽出される輝度データ、およびこの輝度データから算出される移動平均値の一例を示すグラフである。
【図４】図３に示した輝度データからバックライトに起因する輝度ムラ等の緩やかに変化する輝度ムラの影響を除去した輝度データ、および表示画面の平均輝度を示すグラフである。
【図５】図２に示した補正データ作成装置における補正データの生成方法を説明するための説明図である。
【図６】図２に示した補正データ作成装置における補正データの生成方法を説明するための説明図である。
【図７】図２に示した補正データ作成装置において生成される補正データにおける補正画素（調整補正画素）および補正しない画素（調整補正画素以外の画素）の一例を示す説明図である。
【図８】図２に示した補正データ作成装置における輝度ムラ領域の円形領域への近似の概念を示す説明図である。
【図９】（ａ）および（ｂ）は図１に示した駆動制御部において設定される補正パターンの一例を示す説明図である。
【図１０】図１に示した駆動制御部において設定される補正パターンの一例を示す説明図である。
【図１１】図１に示した表示装置における画像データの補正方法を示す説明図である。
【図１２】（ａ）および（ｂ）は、図１に示した駆動制御部において設定される補正パターンの一例を示す説明図である。
【図１３】図１に示した駆動制御部における補正パターンの設定方法の一例を示す説明図である。
【図１４】図１に示した駆動制御部における補正パターンの設定方法の一例を示す説明図である。
【図１５】輝度ムラ補正処理の前後の輝度データを示すグラフである。
【図１６】本発明の他の実施形態にかかる表示装置に備えられる駆動制御部の構成を示すブロック図である。
【図１７】本発明のさらに他の実施形態にかかる表示装置に備えられる駆動制御部の構成を示すブロック図である。
【図１８】本発明のさらに他の実施形態にかかる表示装置に備えられる駆動制御部の構成を示すブロック図である。
【発明を実施するための形態】
【００２７】
〔実施形態１〕
本発明の一実施形態について説明する。なお、本実施形態では、携帯電話等のモバイル型の装置に備えられる透過型の液晶表示装置であって、ＲＧＢの各色を６ビットで表現した画像データに基づいて表示を行う表示装置における、ソースライン（データ信号線）の延伸方向に平行な方向のスジ状の輝度ムラ（スジ状ムラ）、および局所的な斑点状の輝度ムラ（斑点状ムラ）を補正する場合の例について主に説明する。すなわち、本実施形態では、互いに平行に配置された多数のゲートライン（走査信号線）と互いに平行に配置された多数のソースラインとが交差するように配置され、上記ゲートラインと上記ソースラインとの交差部毎に画素が設けられた構成の表示装置において、ソースラインの延伸方向に平行な方向のスジ状の輝度ムラ、および局所的な斑点状の輝度ムラを補正する場合の例について説明する。
【００２８】
図２は、本実施形態にかかる補正データ生成用データ作成装置１０および表示装置２０の構成を示すブロック図である。本実施形態では、補正データ生成用データ作成装置１０が検査用画像データに応じた画像を表示させている状態の表示装置２０の表示画面を撮像した結果に基づいて補正データ生成用データを作成する。より具体的には、補正データ生成用データ作成装置１０は、表示装置２０においてスジ状ムラを補正するための第１補正データを生成する際に用いる第１補正データ生成用データ、および表示装置２０において斑点状ムラを補正するための第２補正データを生成する際に用いる第２補正データ生成用データを作成する。そして、表示装置２０が上記各補正データ生成用データを記憶しておき、表示用画像データに応じた画像を表示する際に上記両補正データ生成用データに基づいて第１補正データおよび第２補正データを生成し、これら両補正データに基づいて上記表示用画像データを補正して表示を行う。
【００２９】
（１−１．補正データ生成用データ作成装置１０）
まず、補正データ生成用データ作成装置１０について説明する。図２に示したように、補正データ生成用データ作成装置１０は、表示データ生成部１１、撮像部１２、輝度データ抽出部１３、第１移動平均化処理部１４、第１輝度ムラ検出部１５、第１補正データ生成用データ生成部１６、第２移動平均化処理部１４ｂ、第２輝度ムラ検出部１５ｂ、および第２補正データ生成用データ生成部１６ｂを備えている。
【００３０】
表示データ生成部１１は、表示パネル２１における輝度ムラの有無の検査を行う際にこの表示パネルに表示させる表示データである検査用画像データを生成し、表示パネル２１の駆動制御装置２２ａに出力する。一般に、輝度ムラは中間調の画像（特に濃いグレーの画像）を同一階調で全面均一表示をさせた場合に視認されやすい。このため、本実施形態では、表示データ生成部１１は、輝度ムラを検出するために表示パネルの全画素に中間調の同一階調の画像を表示させるための画像データを検査用画像データとして生成する。
【００３１】
撮像部１２は、表示データ生成部１１によって生成された検査用画像データに応じた画像が表示されている表示パネル２１の表示面を撮像して撮像データを取得する。撮像部１２としては、例えばＣＣＤカメラなどを用いることができる。
【００３２】
輝度データ抽出部１３は、撮像部１２の取得した撮像データから輝度データを抽出する。
【００３３】
第１移動平均化処理部１４は、輝度データ抽出部１３の抽出した輝度データにおける上記表示画面の各ソースラインに対応する領域（あるいはソースラインの延伸方向に平行な所定幅の領域（例えば２〜３ライン分の領域））の画素の集合であるライン画素群について、当該ライン画素群に含まれる各画素の輝度の平均値を当該ライン画素群の輝度値として算出する。また、第１移動平均化処理部１４は、上記各ライン画素群の輝度値を、そのライン画素群を含む所定範囲の周辺領域（例えば当該ライン画素群を中心とする当該ライン画素群の延伸方向に垂直な方向の３ｍｍの幅の領域）に含まれる各画素の輝度値で平均化した移動平均化データを算出する移動平均化処理を行う。なお、以下では、移動平均化処理後の各画素の輝度値を移動平均値と称する。
【００３４】
図３の実線は輝度データ抽出部１３の抽出した輝度データに基づいて算出した各ライン画素群の輝度値を示すグラフであり、破線は上記の各ライン画素群の輝度値の移動平均値を示すグラフである。上記移動平均値は、バックライトに起因する輝度ムラなどの緩やかな輝度ムラを除去し、ムラと認識されやすい局所的な輝度ムラを抽出するために求めるものであり、ムラのない状態の輝度を示す。また、図４の実線は、図３における各ライン画素群の輝度値から上記移動平均値を引いた値にパネル輝度の平均値（表示画面全体の輝度の平均値）を加えたもので、バックライトに起因する輝度ムラ等の緩やかに変化する輝度ムラの影響を除去した後の各ライン画素群の輝度値を示すグラフであり、破線はパネル輝度の平均値を示すグラフである。なお、これら各グラフにおける横軸は各ライン画素群の位置を示しており、縦軸は各ライン画素群の輝度値（各ライン画素群に属する画素の輝度値の平均値）示している。
【００３５】
第１輝度ムラ検出部１５は、輝度データ抽出部１３が撮像データから抽出した各ライン画素群の輝度値と、その移動平均値とに基づいて輝度ムラが生じている領域を検出する。
【００３６】
具体的には、第１輝度ムラ検出部１５は、輝度データ抽出部１３が撮像データから抽出した輝度データにおける各ライン画素群の輝度値と、その移動平均値との差を算出し、算出した差の絶対値が所定の閾値以上であるライン画素群の集合からなる領域を輝度ムラとして検出する。つまり、各ライン画素群の輝度値の移動平均値を当該各ライン画素群についての輝度ムラが生じていない場合の適正輝度値とみなして各ライン画素群の輝度値と比較することにより、輝度ムラが生じている領域を検出する。これにより、バックライトの影響等を除去して輝度ムラを適切に検出することができる。
【００３７】
すなわち、透過型の液晶表示装置では、一般にバックライトからの照射光を表示パネルに均一に照射するために拡散板等が備えられるものの、完全に均一化することは困難なため、バックライトに対する相対位置に応じてバックライトからの照射光の輝度に差が生じる場合がある。ただし、バックライトに対する相対位置に起因する輝度分布は表示パネルの広範囲にわたって比較的なだらかに変化するので（図３における破線部の傾き参照）、輝度ムラとして視認されることは少ない。つまり、人間の目に輝度ムラと認識されるのは、局所的に大きく輝度が変化している場合であり、空間的に大きな周期で輝度が連続的に変化している場合は、ムラと認識されにくい。このため、バックライトからの照射光の輝度分布に起因する輝度の差は輝度ムラとして視認されることは少ない。
【００３８】
一方で、バックライトの影響を考慮せずに、輝度ムラが生じていない適正領域の輝度値を表示画面の全領域について一定値とみなすと、輝度ムラとして視認されない領域が輝度ムラとして検出されたり、輝度ムラとして視認される領域が適正領域として検出されたりする場合が生じる。つまり、輝度ムラが生じていない適正領域の輝度値（適正輝度値）は表示パネル上の位置に応じて異なっている。
【００３９】
そこで、本実施形態では、輝度データ抽出部１３の抽出した輝度データに対して第１移動平均化処理部１４が移動平均化処理を施し、各ライン画素群の輝度値の移動平均値を当該各ライン画素群が適正領域である場合の輝度値（適正輝度値）とみなす。これにより、バックライトからの照射光の輝度分布の影響を除去し、輝度ムラとして視認されやすい、隣接領域の輝度との差が急激に変化している領域を輝度ムラとして適切かつ容易に検出することができる。
【００４０】
なお、移動平均化処理において平均化する範囲（ライン画素群の延伸方向に垂直な方向の範囲）は、スジ状の輝度ムラ領域の幅よりも十分に広く、当該範囲内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、１ｍｍ以上５ｍｍ以下の範囲に設定することが好ましい。本実施形態では、３６０画素×４８０画素の表示パネル２１を用いており、上記範囲を３ｍｍとした。
【００４１】
第１補正データ生成用データ生成部１６は、第１輝度ムラ検出部１５の検出した輝度ムラの情報に基づいて、表示装置２０においてスジ状の輝度ムラを視認されにくくするための第１補正データを生成する際に用いられる第１補正データ生成用データ（補正データ生成用データ）を生成し、生成した第１補正データ生成用データに圧縮処理を施して表示装置２０に出力する。なお、輝度ムラ領域に含まれるライン画素群の輝度値のピーク値と適正輝度値との差が所定の基準値未満の場合にはスジ状の輝度ムラは存在しないものみなし、第１補正データ生成用データを作成しないようにしてもよい。
【００４２】
本実施形態では、上記したように、ＲＧＢの各色を６ビットで表現した画像データに基づいて表示を行う表示装置２０を用いている。この種の低階調パネルでは、輝度ムラの検出結果に基づいて単純に表示用画像データの階調を調節するだけでは、輝度ムラを適切に補正できない場合がある。これは、輝度ムラとして認識される輝度値のずれの最小値は、６ビット階調のパネルなら表示用画像データにおける１階調分に相当する輝度値未満であるため、例えば暗い輝度ムラを補正しようとしてデータを１階調上げるように補正すると補正量が大きくなりすぎて明るい輝度ムラとして視認されてしまったり、逆に明るい輝度ムラを補正しようとしてデータを１階調下げるように補正すると暗い輝度ムラとして視認されてしまったりするためである。
【００４３】
そこで、第１補正データ生成用データ生成部１６は、適正輝度値に対する輝度のずれが画像データの１階調分に相当する輝度値未満であってもこの輝度のずれに起因する輝度ムラが視認されにくくするための第１補正データ生成用データを生成する。
【００４４】
図５は、補正パターンの生成方法を説明するための説明図である。より具体的には、図５は、各画素に対して階調値９，１０，１１（階調値０が黒、階調値６３が白に相当）の検査用画像データをそれぞれ表示させ、これら各階調値に応じた画像を表示した状態の表示パネル２１を撮像した撮像データに基づいて抽出した各ライン画素群の輝度値、およびパネル輝度の平均値を示すグラフである。なお、図５では、図４と同様の処理を施し、バックライトに起因する輝度ムラ等の緩やかに変化する輝度ムラの影響を除去した後の各ライン画素群の輝度値を示している。
【００４５】
第１輝度ムラ検出部１５は、撮像データから抽出した輝度データにおける適正輝度値に対する輝度値の差の絶対値が所定の閾値以上である部分を輝度ムラとして検出する。具体的には、上記差が正の値であって絶対値が閾値以上である部分を明るいムラとして検出し、上記差が負の値であって絶対値が閾値以上である部分を暗いムラとして検出する。図５の例では、Ｃ１，Ｃ２で示した部分が明るい輝度ムラとして検出され、Ｄ１，Ｄ２で示した部分が暗い輝度ムラとして検出される。
【００４６】
次に、第１補正データ生成用データ生成部１６は、各輝度ムラ部分の値と適正輝度値との差を検出する。図５の例では、輝度ムラＣ１，Ｃ２，Ｄ１，Ｄ２について差ｃ１，ｃ２，ｄ１，ｄ２がそれぞれ検出される。
【００４７】
また、第１補正データ生成用データ生成部１６は、基準階調値よりも１階調高い画像データに対する適正部分の輝度値と基準階調値の画像データに対する適正部分の輝度値との差Ａ、および基準階調値の画像データに対する適正部分の輝度値と基準階調値よりも１階調低い画像データに対する適正部分の輝度値との差Ｂとを検出する。
【００４８】
そして、第１補正データ生成用データ生成部１６は、明るい輝度ムラＣ１，Ｃ２については当該輝度ムラについての上記差ｃ１，ｃ２と上記差Ｂとの比ｃ１／Ｂ，ｃ２／Ｂをそれぞれ算出し、暗い輝度ムラＤ１，Ｄ２については当該輝度ムラについての上記差ｄ１，ｄ２と上記差Ａとの比ｄ１／Ａ，ｄ２／Ａをそれぞれ算出する。
【００４９】
そして、明るい輝度ムラについての上記比（ｃ１／Ｂ、ｃ２／Ｂ、など）が１以下の場合は、第１補正データ生成用データ生成部１６は、明るい輝度ムラに対応するライン画素群に属する画素のうち当該輝度ムラについての上記比に応じた割合の画素（調整補正画素）に対する表示用画像データを１階調低くするための第１補正データ生成用データを生成する。
【００５０】
また、上記比（ｃ１／Ｂ、ｃ２／Ｂ、など）が１を超える場合、第１補正データ生成用データ生成部１６は、明るい輝度ムラに対応するライン画素群に属する画素に対する表示用画像データを上記比の整数部分に応じた階調値だけ低くするための第１補正データ生成用データ、および、上記比の小数部分に応じた割合の画素（調整補正画素）に対する表示用画像データをさらに１階調低くするための第１補正データ生成用データを生成する。
【００５１】
図６は、明るい輝度ムラが生じている位置と当該各輝度ムラについての上記比の値との関係の一例を示すグラフである。
【００５２】
第１補正データ生成用データ生成部１６は、各輝度ムラ領域を上記比の値に応じてグループ分けする。例えば、図６に示したように、上記比が０．１２５以上０．３７５未満の輝度ムラ領域を補正強度１、上記比が０．３７５以上０．６２５未満の輝度ムラ領域を補正強度２、上記比が０．６２５以上０．８７５未満の輝度ムラ領域を補正強度３、上記比が０．８７５以上１．１２５未満の輝度ムラ領域を補正強度４、上記比が１．１２５以上１．３７５未満の輝度ムラ領域を補正強度５に分類する。
【００５３】
そして、補正強度１の輝度ムラ領域については上記比が０．２５であるものとみなし、４画素に１画素の割合で階調値を１階調下げるための第１補正データ生成用データを作成する。例えば、図６に示したｃｋに対応する位置ではｃｋ／Ｂの値が０．１９であることから、補正強度１に分類され、４画素に１画素の割合で階調値を１階調下げるための第１補正データ生成用データが作成される。
【００５４】
また、補正強度２の輝度ムラ領域については上記比が０．５であるものとみなし、２画素に１画素の割合で階調値を１階調下げるための第１補正データ生成用データを作成する。例えば、図６に示したｃｎに対応する位置ではｃｎ／Ｂの値が０．４４であることから、補正強度２に分類され、２画素に１画素の割合で階調値を１階調下げるための第１補正データ生成用データが作成される。
【００５５】
また、補正強度３の輝度ムラ領域については上記比が０．７５であるものとみなし、４画素に３画素の割合で階調値を１階調下げるための第１補正データ生成用データを作成する。例えば、図６に示したｃｌに対応する位置ではｃｌ／Ｂの値が０．８０であることから、補正強度３に分類され、４画素に３画素の割合で階調値を１階調下げるための第１補正データ生成用データが作成される。
【００５６】
また、補正強度４の輝度ムラ領域については上記比が１であるものとみなし、各画素について階調値を１階調下げるための第１補正データ生成用データを作成する。
【００５７】
また、補正強度５の輝度ムラ領域については上記比が１．２５であるものとみなし、各画素の階調値を１階調下げ、４画素に１画素の割合の画素については階調値をさらに１階調下げる（合計２階調下げる）ための第１補正データ生成用データを作成する。例えば、図６に示したｃｍに対応する位置ではｃｍ／Ｂの値が１．２９であることから、補正強度５に分類され、各画素の階調値を１階調下げるとともに、４画素に１画素の割合で階調値をさらに１階調下げるための第１補正データ生成用データが作成される。
【００５８】
また、上記比（ｃ１／Ｂ、ｃ２／Ｂ、など）が１を超える場合、第１補正データ生成用データ生成部１６は、上記比を除算した場合の除算結果が１以下となる２以上の数ｎで上記比を除算し、この除算結果に応じた割合の画素（調整補正画素）に対する表示用画像データをｎ階調低くするための第１補正データ生成用データを作成してもよい。例えば、図６に示した補正強度５に属する輝度ムラ領域の場合、上記比が１．２５（＝５／４）であるものとみなし、ｎ＝２で除算した値（５／４÷２＝５／８）を算出し、この除算結果に応じて８画素に５画素の割合で２階調下げるための第１補正データ生成用データを作成すればよい。
【００５９】
また、暗い輝度ムラについての上記比（ｄ１／Ａ、ｄ２／Ａ、など）が１以下の場合は、第１補正データ生成用データ生成部１６は、暗い輝度ムラに対応するライン画素群に属する画素のうち当該輝度ムラについての上記比に応じた割合の画素に対する表示用画像データを１階調高くするための第１補正データ生成用データを生成する。
【００６０】
また、上記比（ｄ１／Ａ、ｄ２／Ａ、など）が１を超える場合、第１補正データ生成用データ生成部１６は、暗い輝度ムラに対応するライン画素群に属する画素に対する表示用画像データを上記比の整数部分に応じた階調値だけ高くするための第１補正データ生成用データ、および、上記比の小数部分に応じた割合の画素（調整補正画素）に対する表示用画像データをさらに１階調高くするための第１補正データ生成用データを生成する。
【００６１】
また、上記比（ｄ１／Ａ、ｄ２／Ａ、など）が１を超える場合、第１補正データ生成用データ生成部１６は、上記比を除算した場合の除算結果が１以下となる２以上の数ｎで上記比を除算し、この除算結果に応じた割合の画素に対する表示用画像データをｎ階調高くするための第１補正データ生成用データを作成してもよい。
【００６２】
なお、図６では上記比が１．３７５以上の場合については図示していないが、１．３７５以上の場合にも上述した方法と同様にして各輝度ムラ領域のグループ分けおよび各輝度ムラ領域に対応する第１補正データ生成用データの作成を行えばよい。また、各グループに対応する上記比の幅は図６に示した例に限られるものではない。
【００６３】
したがって、例えば上記比が１以下であった場合、適正輝度値に対する差（適正輝度値からのずれ）が大きい輝度ムラ領域については表示用画像データを１階調補正する画素の割合は大きくなり（表示用画像データを１階調補正する画素が密になり）、適正輝度値に対する差が比較的小さい輝度ムラ領域については表示用画像データを１階調補正する画素の割合は小さくなる（表示用画像データを１階調補正する画素が疎になる）。図７は、第１補正データ生成用データにおける上記比が１以下である場合に表示用画像データの階調を１階調補正する画素の例を示す説明図である。
【００６４】
例えば、ｃ１／Ｂ＝１／３の場合、表示用画像データにおける輝度ムラＣ１に対応するソースライン上の画素に対する画像データを、ソースラインの延伸方向に沿って３画素毎に１画素だけ１階調低く補正させるための第１補正データ生成用データ（補正対象のソースラインに接続された全画素数に対する調整補正画素の割合を示す画像データ）を生成する。また、ｄ１／Ａ＝１／３の場合、表示用画像データにおける輝度ムラＤ１に対応するソースライン上の画素に対する画像データを、ソースラインの延伸方向に沿って３画素毎に１画素だけ１階調高く補正させるための第１補正データ生成用データを生成する。
【００６５】
なお、上記比ｃｉ／Ｂ（ｉは輝度ムラの位置を示す１以上の整数）または上記比ｄｊ／Ａ（ｊは輝度ムラの位置を示す１以上の整数）の大きさに応じて、各輝度ムラ領域における輝度ムラの程度（適正輝度値に対するずれの程度）が予め設定された複数のグループのうちのいずれのグループに属するかを判断し、この判断結果と各グループに対して予め設定された値とに基づいて表示用画像データにおける調整補正画素の割合（あるいは調整補正画素同士の間隔）を設定するようにしてもよい。
【００６６】
また、上記の例では、ｃｉ／Ｂあるいはｄｊ／Ａの値と調整補正画素の割合とを同値にする場合について説明したが、これに限らず、例えばｃｉ／Ｂあるいはｄｊ／Ａの値に予め定められた補正係数を乗じた値に基づいて調整補正画素の割合を設定するようにしてもよい。また、上記補正係数を表示画像データの階調値に応じて設定してもよい。例えば、上述したように輝度ムラは中間調において視認されやすく、黒および白に近い表示の場合には視認されにくいことから、中間調における上記補正係数を黒および白に近い階調における上記補正係数よりも大きく設定してもよい。
【００６７】
このように、上記第１補正データ生成用データは、例えば、輝度ムラに対応するソースライン（補正領域の位置）と、当該ソースラインにおける調整補正画素の割合（調整補正画素間隔）と、上記調整補正画素について１階調高くするか低くするかを示す情報とからなる。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報を含めてもよい。
【００６８】
なお、上記の説明では、第１補正データ生成用データ生成部１６が、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【００６９】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【００７０】
また、第１補正データ生成用データ生成部１６は、上記の第１補正データ生成用データを、Ｒ（Ｒｅｄ），Ｇ（Ｇｒｅｅｎ），Ｂ（Ｂｌｕｅ）の各副画素についてそれぞれ算出する。
【００７１】
なお、Ｒ，Ｇ，Ｂのうちの１色（例えばＧ）についての第１補正データ生成用データを生成し、それを他の色について共用してもよい。スジ状の輝度ムラは所定範囲の領域内において連続的に発生する場合が多いので、Ｒ，Ｇ，Ｂのうちの１色について生成した第１補正データ生成用データを、両隣の他の色の副画素に適用しても、Ｒ，Ｇ，Ｂの各色についてそれぞれ第１補正データ生成用データを個別に生成する場合と比較して画質の程度はほとんど変わらない。また、Ｒ，Ｇ，Ｂの各色について共通の第１補正データ生成用データを用いることにより、これら各色について個別の第１補正データ生成用データを生成する場合に比べて、後述する表示装置２０に備えられる第１補正データ生成用データを格納するための第１補正データ生成用データ記憶部３１に要求される記憶容量を低減できる。
【００７２】
その後、第１補正データ生成用データ生成部１６は、生成した第１補正データ生成用データに圧縮処理を施し、圧縮処理後の第１補正データ生成用データを表示装置２０の駆動制御装置２２ａに出力する。なお、圧縮処理の方法および圧縮後の第１補正データ生成用データのサイズは特に限定されるものではなく、表示装置２０に備えられる第１補正データ生成用データ記憶部３１の記憶容量などに応じて適宜設定すればよい。例えば、ランレングス符号化などの従来から公知の方法を用いて圧縮処理を行ってもよい。ランレングス符号化では、例えば、圧縮前の第１補正データ生成用データが００１００００００００１１・・・である場合、符号化後のデータは[0,2][1,1][0,8][1,2]となる。あるいは、０の値を省略して[2][1,1][8][1,2]と表現することもできる。
【００７３】
このように第１補正データ生成用データを圧縮することにより、圧縮処理の方法にもよるが、例えば３６０画素×４８０画素の表示パネルを有する表示装置に対する第１補正データ生成用データを例えば１ｋｂｉｔ程度の非常に少ない記憶容量で記憶させることができる。したがって、これらの表示装置に備えられる既存のメモリの空き領域を第１補正データ生成用データ記憶部３１として用いることができる。
【００７４】
第２移動平均化処理部１４ｂは、撮像部１２が上記検査用画像データを表示している状態の表示装置２０の表示画面を撮像した撮像データから輝度データ抽出部１３が抽出した輝度データに対して、各画素の輝度値を、当該各画素を中心とする所定サイズのブロックに含まれる各画素の輝度値の平均値に置き換える第２移動平均化処理を行う。なお、以下では、第２移動平均化処理後の各画素の輝度値を第２移動平均値と称する。
【００７５】
なお、上記所定サイズは、斑点状の輝度ムラ領域の範囲よりも十分に広く、当該所定サイズ内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、２ｍｍ×２ｍｍ〜１０ｍｍ×１０ｍｍの範囲に設定することが好ましい。本実施形態では、３６０画素×４８０画素の表示パネル２１を用いており、上記範囲を５ｍｍ×５ｍｍとした。なお、上記所定サイズにおける縦方向の長さと横方向の長さとは必ずしも同じでなくてもよい。
【００７６】
第２輝度ムラ検出部１５ｂは、輝度データ抽出部１３が抽出した各画素の輝度値と当該各画素についての第２移動平均値との差を算出し、この差の絶対値が所定の閾値以上である画素が所定数以上連続している領域を斑点状の輝度ムラとして検出する。なお、上記差が所定の基準値未満の場合には斑点状の輝度ムラは存在しないものみなし、第２補正データ生成用データを作成しないようにしてもよい。また、上記所定数は、輝度ムラが視認されることを防止できるように表示装置２０のサイズや用途等に応じて適宜設定すればよい。
【００７７】
また、第２輝度ムラ検出部１５ｂは、図８に示すように、検出した斑点状の各輝度ムラ領域を円形領域に近似する。円形領域への近似方法は特に限定されるものではなく、従来から公知の種々の方法を用いることができる。
【００７８】
第２補正データ生成用データ生成部１６ｂは、第２輝度ムラ検出部１５ｂの検出結果に基づいて、斑点状の輝度ムラを視認されにくくするための第２補正データ生成用データ（補正データ生成用データ）を生成し、生成した第２補正データ生成用データに圧縮処理を施して表示装置２０に備えられる駆動制御装置２２ａに出力する。
【００７９】
具体的には、第２補正データ生成用データ生成部１６ｂは、第２輝度ムラ検出部１５ｂによって輝度ムラとして抽出された領域を円形に近似した領域について、当該領域内の各画素の平均輝度と、当該領域内の輝度ムラが生じていない適正輝度値（例えば当該領域内の各画素の第２移動平均値）との差を算出する。すなわち、本実施形態では、後に説明する第２補正データ生成用データ記憶部３１ｂに記憶させる容量を少なくするため、斑点状の輝度ムラ領域を円形に近似し、さらに、近似した領域について同一補正強度で補正を行うこととしている。なお、以下の説明では、上記差がｅ（ｅ＞０）である場合（明るい輝度ムラが生じている場合）、およびｆ（ｆ＜０）である場合（暗い輝度ムラが生じている場合）について説明する。
【００８０】
また、第２補正データ生成用データ生成部１６ｂは、表示データ生成部１１が表示パネル２１の全域に基準階調値よりも１階調高い画像データに対応する画像を表示させ、撮像部１２がそれを撮像した撮像データから輝度データ抽出部１３が抽出した輝度データに基づいて、基準階調値よりも１階調高い画像データに対する適正輝度値と基準階調値の画像データに対する適正輝度値との差Ａを算出する。また、第２補正データ生成用データ生成部１６ｂは、表示データ生成部１１が表示パネル２１の全域に基準階調値よりも１階調低い画像データに対応する画像を表示させ、撮像部１２がそれを撮像した撮像データから輝度データ抽出部１３が抽出した輝度データに基づいて、基準階調値の画像データに対する適正輝度値と基準階調値よりも１階調低い画像データに対する適輝度値との差Ｂを算出する。
【００８１】
そして、明るい輝度ムラが生じている各領域ついて、上記ｅの絶対値｜ｅ｜と上記Ｂとの比｜ｅ｜／Ｂを算出する。そして、上記比｜ｅ｜／Ｂが１以下の場合、この輝度ムラを補正するために画像データの階調値を１階調低くするように補正する調整補正画素の数を、上記各領域に含まれる画素の上記比｜ｅ｜／Ｂに応じた割合に設定する。例えば、上記比｜ｅ｜／Ｂの値が１／３である領域については、その領域に含まれる画素のうち３画素に１つの画素を１階調低くするように第２補正データ生成用データを生成する。
【００８２】
同様に、暗い輝度ムラが生じている各領域について、上記ｆの絶対値｜ｆ｜と上記Ａとの比｜ｆ｜／Ａを算出する。そして、上記比｜ｆ｜／Ａが１以下の場合、この輝度ムラを補正するために画像データの階調値を１階調高くするように補正する調整補正画素の数を、上記各領域に含まれる画素の上記比｜ｆ｜／Ａに応じた割合に設定する。例えば、上記比｜ｆ｜／Ａの値が１／３である領域については、その領域に含まれる画素のうち３画素に１つの画素を１階調高くするように第２補正データ生成用データを生成する。
【００８３】
なお、上記比（｜ｅ｜／Ｂ、｜ｆ｜／Ａなど）が１を超える場合、その比に対応する領域における各画素を上記比の整数部分に応じた階調値だけ補正し、上記比の小数部分に応じた割合の画素（調整補正画素）に対する表示用画像データをさらに１階調補正するための第２補正データ生成用データを生成する。あるいは、上記比（｜ｅ｜／Ｂ、｜ｆ｜／Ａなど）が１を超える場合、上記比を除算した場合の除算結果が１以下となる２以上の数ｎで上記比を除算し、この除算結果に応じた割合の画素に対する表示用画像データをｎ階調高くするための第２補正データ生成用データを作成するようにしてもよい。
【００８４】
また、上記比Ａ／｜ｅ｜または上記比Ｂ／｜ｆ｜の大きさに応じて、各ブロックの輝度ムラの程度（適正輝度値に対する輝度値のずれの程度。補正強度。）が予め設定された複数のグループ（例えば図９（ａ）に示す補正強度１〜８の８つのグループ）のうちのいずれのグループに属するかを判断し、この判断結果と各グループに対して予め設定された値とに基づいて調整補正画素の割合を設定するようにしてもよい。あるいは、グループの分類結果を示す情報を上記割合に代えて第２補正データ生成用データに含めるようにしてもよい。
【００８５】
なお、上記の説明では、第２補正データ生成用データ生成部１６ｂが、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【００８６】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【００８７】
また、第２補正データ生成用データ生成部１６ｂは、上記の第２補正データ生成用データを、Ｒ（Ｒｅｄ），Ｇ（Ｇｒｅｅｎ），Ｂ（Ｂｌｕｅ）の各副画素についてそれぞれ算出する。
【００８８】
なお、Ｒ，Ｇ，Ｂのうちの１色（例えばＧ）についての第２補正データ生成用データを生成し、それを他の色について共用してもよい。斑点状の輝度ムラは所定範囲の領域内において連続的に発生する場合が多いので、Ｒ，Ｇ，Ｂのうちの１色について生成した第２補正データ生成用データを、両隣の他の色の副画素に適用しても、Ｒ，Ｇ，Ｂの各色についてそれぞれ第２補正データ生成用データを生成する場合と比較して画質の程度はほとんど変わらない。また、Ｒ，Ｇ，Ｂの各色について共通の第２補正データ生成用データを用いることにより、これら各色について個別の第２補正データ生成用データを生成する場合に比べて、後述する表示装置２０に備えられる第２補正データ生成用データを格納するための第２補正データ生成用データ記憶部３１ｂに要求される記憶容量を低減できる。
【００８９】
なお、本実施形態では、第２補正データ生成用データ生成部１６ｂが、斑点状の輝度ムラが生じている各輝度ムラ領域を当該輝度ムラ領域のサイズに応じた円形領域に近似し、当該各円形領域の中心座標（あるいは中心座標に対応する画素）および半径と、当該各円形領域についての調整補正画素の割合と、上記調整補正画素について１階調高くするか低くするかを示す情報とを含む第２補正データ生成用データを生成する。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報とを含めてもよい。
【００９０】
その後、第２補正データ生成用データ生成部１６ｂは、生成した第２補正データ生成用データに圧縮処理を施し、圧縮処理後の第２補正データ生成用データを表示装置２０の駆動制御装置２２ａに出力する。なお、圧縮処理の方法および圧縮後の第２補正データ生成用データのサイズは特に限定されるものではなく、表示装置２０に備えられる第２補正データ生成用データ記憶部３１ｂの記憶容量などに応じて適宜設定すればよい。
【００９１】
（１−２．表示装置２０）
図１は、表示装置２０に備えられる駆動制御装置２２ａの構成を示すブロック図である。この図に示すように、駆動制御装置２２ａは、第１補正データ生成用データ記憶部３１と、第２補正データ生成用データ記憶部３１ｂと、第１復号部３２、第１空間分散処理部３３、第１時間分散処理部３４、第２復号部３２ｂ、第２空間分散処理部３３ｂ、第２時間分散処理部３４ｂ、および統合処理部３５からなる補正データ作成部４１と、加減算器３６と、シフトレジスタ３７と、第１ラッチ部３８と、第２ラッチ部３９と、Ｄ／Ａ変換部４０とを備えている。なお、第１復号部３２、第１空間分散処理部３３、および第１時間分散処理部３４によって第１補正データ作成部が構成され、第２復号部３２ｂ、第２空間分散処理部３３ｂ、および第２時間分散処理部３４ｂによって第２補正データ作成部が構成されている（いずれも図示せず）。
【００９２】
第１補正データ生成用データ記憶部３１は、表示装置２０の製造時に補正データ生成用データ作成装置１０から入力される第１補正データ生成用データ（補正データ生成用データ）を記憶する不揮発性のメモリである。なお、本実施形態では、第１補正データ生成用データ記憶部３１に、補正データ生成用データ作成装置１０によって圧縮処理が施された第１補正データ生成用データを格納するようになっている。
【００９３】
第１復号部３２は、表示装置２０において表示用画像データに応じた画像を表示パネル２１に表示させる際、第１補正データ生成用データ記憶部３１に記憶されている第１補正データ生成用データを読み出し、この第１補正データ生成用データを復号して第１空間分散処理部３３に出力する。なお、第１補正データ生成用データ記憶部３１の記憶容量に余裕がある場合は、第１補正データ生成用データ生成部１６が第１補正データ生成用データを圧縮せずに第１補正データ生成用データ記憶部３１に記憶させるようにしてもよく、その場合、第１復号部３２を省略してもよい。
【００９４】
第１空間分散処理部３３は、第１復号部３２から入力された第１補正データ生成用データに基づいて、輝度ムラ領域に対応する各ソースラインにおける調整補正画素の位置を設定し、この設定結果を示す第１補正データを第１時間分散処理部３４に出力する。具体的には、ソースラインの端部から何画素目の画素を調整補正画素とするか（オフセット値）を決定するとともに、当該画素および当該画素から所定間隔毎の画素を調整補正画素として設定する。
【００９５】
なお、上記比が１以下である輝度ムラ領域については調整補正画素の階調値を１階調変化させる一方、その他の画素については補正しない。また、上記比が１を超える輝度ムラ領域については、当該輝度ムラ領域における各画素の階調値を上記比の整数部分に応じた階調値だけ変化させるとともに、調整補正画素の階調値をさらに１階調変化させる。あるいは、上記比が１を超える輝度ムラ領域については、調整補正画素の階調値を上記ｎの値に応じた階調値だけ変化させる一方、その他の画素については補正しないようにしてもよい。
【００９６】
また、隣接する複数のソースラインにまたがって輝度ムラが生じている場合には、これら各ソースラインにおける調整補正画素同士のソースラインの延伸方向についての位置を隣接するソースライン間で異ならせて分散させるように各調整補正画素の位置を設定してもよい。図１０は、この場合の第１補正データの一例を示す説明図である。
【００９７】
第１時間分散処理部３４は、第１空間分散処理部３３から入力される第１補正データに基づいて、各ソースラインにおける調整補正画素の位置を、所定期間毎（例えば１フレーム毎）に変更するように設定し、この設定結果を示す第１補正データを統合処理部３５に出力する。図１１は、第１時間分散処理部３４によって設定された第１補正データの一例を示す説明図である。この図に示す例では、第１時間分散処理部３４は、調整補正画素の割合（調整補正画素同士のピッチ）を一定に保ったままで調整補正画素の位置（オフセット値）を１フレーム毎にソースラインの延伸方向に変化させている。
【００９８】
なお、第１空間分散処理部３３と第１時間分散処理部３４の順番は逆であってもよい。すなわち、第１復号部３２から第１時間分散処理部３４に第１補正データ生成用データが入力され、第１時間分散処理部３４から第１空間分散処理部３３に第１補正データが入力される構成であってもよい。
【００９９】
第２補正データ生成用データ記憶部３１ｂは、表示装置２０の製造時に補正データ生成用データ作成装置１０から入力される第２補正データ生成用データ（補正データ生成用データ）を記憶する不揮発性のメモリである。なお、本実施形態では、第２補正データ生成用データ記憶部３１ｂに、補正データ生成用データ作成装置１０によって圧縮処理が施された第２補正データ生成用データを格納するようになっている。
【０１００】
第２復号部３２ｂは、表示装置２０において表示用画像データに応じた画像を表示パネル２１に表示させる際、第２補正データ生成用データ記憶部３１ｂに記憶されている第２補正データ生成用データを読み出し、この第２補正データ生成用データを復号して第２空間分散処理部３３ｂに出力する。なお、第２補正データ生成用データ記憶部３１ｂの記憶容量に余裕がある場合は、第２補正データ生成用データ生成部１６ｂが第２補正データ生成用データを圧縮せずに第２補正データ生成用データ記憶部３１ｂに記憶させるようにしてもよく、その場合、第２復号部３２ｂを省略してもよい。
【０１０１】
第２空間分散処理部３３ｂは、第２復号部３２ｂから入力された第２補正データ生成用データに基づいて、各輝度ムラ領域における調整補正画素の位置を設定し、この設定結果を示す第２補正データを第２時間分散処理部３４ｂに出力する。
【０１０２】
具体的には、第２空間分散処理部３３ｂは、第２復号部３２ｂから入力された第２補正データ生成用データから調整補正画素の割合（あるいは輝度ムラの程度に応じたグループの分類結果）を検出し、この検出結果に対応する補正位置のパターンを補正パターン記憶部（図示せず）から抽出することで調整補正画素を決定する。補正パターン記憶部には、第２補正データ生成用データに含まれている調整補正画素の割合（あるいは輝度ムラの程度に応じたグループの分類結果）に応じた、上記ブロック内における調整補正画素の位置を示すパターンが予め格納されている。図９（ａ）は、輝度ムラの程度を補正強度１〜８の８つのグループに分類する場合の上記ブロック内における調整補正画素の配置パターンの一例を示している（図中の黒丸が調整補正画素を示している）。
【０１０３】
図１２（ａ）および図１２（ｂ）は、第２復号部３２ｂから入力された第２補正データ生成用データ（半径、調整補正画素の割合などの情報）に基づいて、第２空間分散処理部３３ｂが決定した調整補正画素の配置パターンの一例を示す説明図である。具体的には、図１２（ａ）は輝度ムラ領域に対応する円形領域の半径が６（６画素）、この輝度ムラ領域が補正強度３のグループに分類される場合の例を示している。また、図１２（ｂ）は、輝度ムラ領域に対応する円形領域の半径が９（９画素）、この輝度ムラ領域が補正強度４のグループに分類される場合の例を示している。
【０１０４】
なお、図９（ａ）および図９（ｂ）に示したように、調整補正画素の各割合（あるいは輝度ムラの程度に応じた各グループ）に対して、複数の調整補正画素の配置パターンを予め設定しておき、隣接するブロックにおいて異なる配置パターンを適用することにより、調整補正画素同士が隣り合わないようにしてもよい。
【０１０５】
また、上記の説明では補正パターンを補正パターン記憶部に予め記憶させておくものとしたが、これに限らず、例えばブロック内における調整補正画素の割合（あるいは輝度ムラの程度に応じたグループの分類結果）をパラメータとする所定の演算式に基づいて調整補正画素の位置を算出するようにしてもよい。
【０１０６】
また、上記の説明では、Ｒ，Ｇ，Ｂの各副画素について共通の配置パターンを用いて調整補正画素の位置を決定するものとしているが、これに限らず、色毎に配置パターンを設定するようにしてもよい。例えば、図１３に示すように、輝度ムラの程度に応じた各グループ（あるいは調整補正画素の割合）に対して、Ｇの副画素に対する補正パターンと，ＲおよびＢの副画素に対する補正パターンとを設定しておき、これら両補正パターンを用いて補正対象の各副画素を選択するようにしてもよい。あるいは、これら両補正パターンを交互に用いるようにしてもよい。
【０１０７】
第２時間分散処理部３４ｂは、第２空間分散処理部３３ｂから入力される第２補正データに基づいて、上記の各ブロックにおける調整補正画素の位置を、所定期間毎（本実施形態では１フレーム毎）に変更するように設定し、この設定結果を示す第２補正データを統合処理部３５に出力する。
【０１０８】
例えば、図９（ａ）および図９（ｂ）に示したように、第２補正データ生成用データに含まれている調整補正画素の各割合（あるいは輝度ムラの程度に応じた各グループ）に対して複数の調整補正画素の配置パターンを予め設定しておき、フレーム毎に適用する配置パターンを切り替えてもよい。あるいは、図１４に示すように、配置パターンの適用位置をフレーム毎にずらすことにより、調整補正画素の位置を１フレーム毎に変更するようにしてもよい。
【０１０９】
なお、第２空間分散処理部３３ｂと第２時間分散処理部３４ｂの順番は逆であってもよい。すなわち、第２復号部３２ｂから第２時間分散処理部３４ｂに第２補正データ生成用データが入力され、第２時間分散処理部３４ｂから第２空間分散処理部３３ｂに第２補正データが入力される構成であってもよい。
【０１１０】
統合処理部３５は、第１時間分散処理部３４から出力された第１補正データと第２時間分散処理部３４ｂから出力された第２補正データとを統合した統合補正データを生成し、加減算器３６に出力する。
【０１１１】
例えば、統合処理部３５は、スジ状の輝度ムラを補正するための第１補正データにおける各画素の補正量（階調補正値）と斑点状の輝度ムラを補正するための第２補正データにおける各画素の補正量（階調補正値）とを対応する画素毎に加算することによって統合補正データを生成する。
【０１１２】
なお、第１補正データにおける補正量と第２補正データにおける補正量とを加算した結果が予め定めた閾値を超える画素については、当該画素の補正量を上記閾値に設定するようにしてもよい。例えば、上記閾値を±１に設定しておき、第１補正データにおける補正量および第２補正データにおける補正量が共に＋１階調である画素については当該画素の補正量を＋１階調に設定すればよい。同様に、第１補正データにおける補正量および第２補正データにおける補正量が共に−１階調である画素については当該画素の補正量を−１階調に設定すればよい。上記の閾値は±１に限るものではなく、１以上の任意の数値に設定することができる。
【０１１３】
加減算器３６は、統合補正データにおける各画素の補正量を当該各画素に対応する表示用画像データの各画素の画素値に加減算処理してシフトレジスタ３７に順次出力する。例えば、補正量が＋１階調の場合には階調値１を加算し、補正量が−１階調の場合には階調値１を減算する。
【０１１４】
なお、本実施形態では、加減算器３６には表示用画像データの各画素の画素値がシリアルに入力され、それに同期して統合処理部３５から加減算器３６に統合補正データがシリアルに入力されるようになっている。
【０１１５】
シフトレジスタ３７は、直列入力並列出力型（ＳＩＰＯ（Serial-In, Parallel-Out））のシフトレジスタであり、加減算器３６からシリアルに出力された加減算処理後の１ゲートライン分の表示用画像データをパラレルに変換して第１ラッチ部３８に出力する。
【０１１６】
第１ラッチ部３８は、シフトレジスタ３７からパラレルに出力された１ライン（１ゲートライン）分の表示用画像データをラッチし、第２ラッチ部３９は第１ラッチ部３８にラッチされた１ライン（１ゲートライン）分の画像データを再ラッチする。
【０１１７】
Ｄ／Ａ変換部（デジタル／アナログ変換部）４０は、第２ラッチ部３９にラッチされた１ライン（１ゲートライン）分の画像データをアナログ信号に変換し、表示パネル２１の各ソースラインに所定のタイミングで出力する。
【０１１８】
表示パネル２１は、多数のゲートライン（走査信号線）と多数のソースライン（データ信号線）とを備えており、これらゲートラインおよびソースラインによって区画されて成るマトリクス状の各領域にそれぞれ画素が設けられている（いずれも図示せず）。
【０１１９】
各画素は、スイッチング用トランジスタと画素容量とからなり、画素容量は液晶容量と必要に応じて付加される補助容量とから構成されている（いずれも図示せず）。スイッチング用トランジスタは、ゲートがゲートラインに接続され、ソースがソースラインに接続され、ドレインが画素容量の一方の電極に接続されている。なお、画素容量の他方の電極は、全画素に共通の共通電極線に接続されている。
【０１２０】
これにより、ゲートドライバ（図示せず）によってゲートラインが選択されると、選択されたゲートラインに接続されている各画素のスイッチング用トランジスタが導通し、それと同期して駆動制御装置２２ａのＤ／Ａ変換部４０から各ソースラインに印加された電圧が対応する画素容量に印加される。
【０１２１】
なお、ゲートラインの選択期間が終了して、スイッチング用トランジスタが遮断されている間、画素容量は該遮断時の電圧を保持し続ける。液晶の透過率または反射率は、液晶容量に印加される電圧によって変化するので、ゲートラインを選択し、ソースラインに画像データに応じた電圧を印加することで、画素の表示状態を画像データに合わせて変化させることができる。
【０１２２】
以上のように、本実施形態にかかる表示装置２０は、表示用画像データに統合補正データを加減算処理することによって表示用画像データを補正する加減算器３６を備えている。これにより、上述した従来技術のように表示用画像データに補正データを乗算する構成に比べて、乗算器やビット圧縮回路を備える必要がないので、回路規模を大幅に縮小し、製造コストを大幅に低減することができる。
【０１２３】
また、本実施形態では、スジ状の輝度ムラを補正するための第１補正データを作成する処理部（第１補正データ生成用データ記憶部３１、第１復号部３２、第１空間分散処理部３３、および第１時間分散処理部３４）と、斑点状の輝度ムラを補正するための第２補正データを作成する処理部（第２補正データ生成用データ記憶部３１ｂ、第２復号部３２ｂ、第２空間分散処理部３３ｂ、および第２時間分散処理部３４ｂ）とを別々に設けている。これにより、例えば、スジ状の輝度ムラを補正するための第１補正データ生成用データの圧縮方法と、斑点状の輝度ムラを補正するための第２補正データ生成用データの圧縮方法とが異なる場合であっても、これら両補正データ生成用データに基づく補正処理を効率よく行うことができる。
【０１２４】
また、本実施形態では、表示装置２０が、表示用画像データに応じた画像を表示パネル２１に表示させる際、第１補正データ生成用データ記憶部３１に記憶されている第１補正データ生成用データおよび第２補正データ生成用データ記憶部３１ｂに記憶されている第２補正データ生成用データに基づいて調整補正画素を選択し、選択した調整補正画素の階調値の補正量をこの調整補正画素が属する補正領域における他の画素に対する階調値の補正量と異ならせる。また、第２補正データ生成用データ記憶部３１ｂに記憶されている第２補正データ生成用データに基づいて補正領域に含まれる画素のうち上記割合に応じた数の画素を調整補正画素として選択し、選択した調整補正画素の階調値の補正量を他の画素に対する階調値の補正量と異ならせる。
【０１２５】
このように、補正領域に含まれる画素のうち、調整補正画素の補正量を他の画素の補正量と異ならせることにより、当該補正領域の全画素の輝度値を表示用画像データの１階調分に相当する輝度値未満（あるいは表示用画像データの小数部分が０でない階調値に相当する輝度値）だけ一律に補正した場合と略同様に視認させることができる。すなわち、補正領域の全画素の輝度値を擬似的に表示用画像データの１階調分に相当する輝度値未満（あるいは表示用画像データの小数部分が０でない階調値に相当する輝度値）の中間調で補正することができる。したがって、輝度ムラを精度よく補正し、輝度ムラ視認されることをより適切に防止することができる。
【０１２６】
図１５は、スジ状の輝度ムラの補正処理を行っていない検査用画像データに応じた画像を表示させた状態の表示パネル２１を撮像した撮像データから得られた輝度データと、スジ状の輝度ムラの補正処理を施した検査用画像データに応じた画像を表示させた表示パネル２１を撮像した撮像データから得られた輝度データの輝度データとを示すグラフである。なお、横軸は各ライン画素群の位置を示しており、縦軸は各ライン画素群の輝度値（上記各ライン画素群に属する画素の輝度値の平均値）を示している。これらのグラフからも明らかなように、本実施形態にかかる補正方法により、スジ状の輝度ムラが視認されないように画像データを補正することができる。
【０１２７】
また、本実施形態では、各補正領域における調整補正画素の位置を所定期間毎（例えば１フレーム毎）に変化させる。つまり、調整補正画素の位置を輝度ムラ領域内において空間的かつ時間的に分散させる。
【０１２８】
これにより、視認される画像を、輝度ムラ領域内の全画素の輝度値を表示用画像データの１階調分に相当する輝度値未満（あるいは小数部分が０でない階調値）で一律に変化させた場合の画像により近づけることができる。したがって、輝度ムラが視認されることをより適切に防止することができる。
【０１２９】
また、本実施形態では、表示装置２０に備えられる第１補正データ生成用データ記憶部３１に、輝度ムラ領域の位置を示す情報と、当該輝度ムラ領域に対する調整補正画素の割合（調整補正画素間隔）と、上記調整補正画素について少なくとも１階調高くするか低くするかを示す情報とを記憶させておき、表示装置２０に備えられる第１空間分散処理部３３および第１時間分散処理部３４が、表示用画像データに応じた画像を表示させる際に、輝度ムラ領域における調整補正画素の位置を空間的かつ時間的に分散させるように決定している。これにより、第１補正データ生成用データのデータサイズを小さくし、第１補正データ生成用データ記憶部３１に要求される記憶容量を低減することができる。
【０１３０】
ただし、これに限らず、表示用画像データを表示させる際の調整補正画素の位置を補正データ生成用データ作成装置１０において予め設定し、各調整補正画素の位置と、各調整補正画素について１階調高くするのか低くするのかを示す情報とを第１補正データ生成用データ記憶部３１に記憶させるようにしてもよい。すなわち、第１空間分散処理部３３および第１時間分散処理部３４を表示装置２０ではなく補正データ生成用データ作成装置１０に備えてもよい。この場合、表示装置２０の回路構成を簡略化するとともに、表示用画像データの補正処理にかかる処理速度を高速化することができる。
【０１３１】
また、本実施形態では、各輝度ムラ領域における適正輝度値に対する輝度値のずれを算出する際、ライン画素群の輝度値の移動平均値を適正輝度値とみなして上記の輝度値のずれを算出する。これにより、例えばバックライトからの照射光の輝度分布などによって表示画面上の位置に応じて適正輝度値が異なる場合であっても、各輝度ムラ領域における適正輝度値に対する輝度値のずれの程度を容易かつ適切に算出することができる。なお、例えば表示画面上の位置に応じた適正輝度値が予めわかっているような場合には、その適正輝度値に基づいて各輝度ムラ領域における輝度値のずれを算出してもよい。
【０１３２】
また、本実施形態では、斑点状の輝度ムラに対応する補正領域を円形領域に近似し、この円形領域の中心座標と半径とを上記補正領域の位置を示す情報として第２補正データ生成用データに含める。これにより、第２補正データ生成用データには、各補正領域の中心座標および半径、各補正領域における調整補正画素数の割合（あるいは輝度ムラの程度に応じて分類されたグループを示す情報）、および調整補正画素の階調値を１階調高くするのか低くするのかを示す情報の４つのパラメータを含めるだけでよいので、第２補正データ生成用データのデータ量を低減して表示装置２０に備えられる第２補正データ生成用データ記憶部３１ｂに要求される記憶容量を低減することができる。
【０１３３】
なお、補正領域を円形領域に近似する構成に限らず、例えば多角形に近似してもよい。その場合、補正領域の位置および範囲を示す情報として、例えば、上記多角形の各頂点の位置を補正データ生成用データに含めるようにしてもよく、上記多角形が正多角形である場合には当該多角形の外接円または内接円の中心位置および半径を補正データ生成用データに含めるようにしてもよい。
【０１３４】
また、調整補正画素の位置を空間的かつ時間的に分散させるためのデータを補正データ生成用データ作成装置１０において予め作成し、このデータを第２補正データ生成用データ記憶部３１ｂに記憶させるようにしてもよい。すなわち、第２空間分散処理部３３ｂおよび第２時間分散処理部３４ｂを表示装置２０ではなく補正データ生成用データ作成装置１０に備えてもよい。この場合、表示装置２０の回路構成および画像データの補正処理を簡略化するとともに、処理速度を高速化することができる。
【０１３５】
〔実施形態２〕
本発明の他の実施形態について説明する。なお、説明の便宜上、上述した実施形態と同様の機能を有する部材については同じ符号を付し、その説明を省略する。
【０１３６】
図１６は、本実施形態にかかる表示装置２０に備えられる駆動制御装置２２ｂの構成を示すブロック図である。駆動制御装置２２ｂは、実施形態１における駆動制御装置２２ａに代えて表示装置２０に備えられる。この図に示すように、駆動制御装置２２ｂは、実施形態１における駆動制御装置２２ａの構成に加えて、フレーム比較部４２、ＲＡＭ（フレームバッファ）４３、およびシフトレジスタ４４とを備えている。
【０１３７】
ＲＡＭ４３は、１フレーム分（１画面分）の表示用画像データを記憶するメモリ（所謂フレームバッファメモリ）であり、図示しない制御部から入力されるクロック信号に応じた所定のタイミングで格納している１フレーム分の表示用画像データを１ライン（１ゲートライン）分ずつパラレルにシフトレジスタ４４に出力する。なお、本明細書では、ＲＡＭ４３が１ゲートラインに対応する画素毎に画像データを並列に出力する場合について主に説明するが、これに限らず、表示画面の１ゲートラインに対応する各画素を複数の画素からなるグループに分割し、分割したグループ毎に画像データを並列に出力するようにしてもよい。
【０１３８】
フレーム比較部４２は、外部から入力された１フレーム分（ＲＡＭ４３に格納されている表示用画像データの次に表示を行うフレーム（第２フレーム））の表示用画像データと、ＲＡＭ４３に格納されている当該フレームより前の１フレーム分の表示用画像データとを比較する。そして、これら両表示用画像データが異なっている場合、フレーム比較部４２は、ＲＡＭ４３に格納する表示用画像データを上記の外部から入力された１フレーム分の表示用画像データに更新する。一方、上記の両表示用画像データが同じである場合、フレーム比較部４２は、ＲＡＭ４３に格納する表示用画像データを更新せず、既に格納されている表示用画像データを引き続きＲＡＭ４３に格納させる。これにより、次に表示するフレームの表示用画像データが前回表示したフレームの表示用画像データと同じである場合には、ＲＡＭ４３に格納されている共通の表示用画像データに基づいて表示が行われる。
【０１３９】
シフトレジスタ４４は、直列入力並列出力型（ＰＩＳＯ（Parallel-In, Serial-Out））のシフトレジスタであり、ＲＡＭ４３からパラレルに出力された１ライン（１ゲートライン）分の表示用画像データをシリアルに変換して１画素分ずつ加減算器３６に出力する。
【０１４０】
加減算器３６には、図示しない制御回路から高速クロック（水平走査周波数にソースラインの数を乗じた周波数以上の周波数を有するクロック）が入力され、この高速クロックに同期して、シフトレジスタ４４から出力される各画素の表示用画像データに補正データ作成部４１から入力される各画素の統合用補正データを加減算処理する。
【０１４１】
補正データ作成部４１、シフトレジスタ３７、第１ラッチ部３８、第２ラッチ部３９、およびＤ／Ａ変換部４０の構成は実施形態１と同様である。
【０１４２】
以上のように、本実施形態では、１フレーム分の表示用画像データを１ライン（１ゲートライン）分ずつパラレルに出力するＲＡＭ４３と、ＲＡＭ４３からパラレルに出力された表示用画像データをシリアルに変換して１画素分ずつ加減算器３６に出力するシフトレジスタ４４とを備えている。
【０１４３】
これにより、表示用画像データをパラレルに出力するＲＡＭ４３を備えた構成であっても、シフトレジスタ４４から１画素分ずつシリアルに出力される表示用画像データと補正データ作成部４１から１画素分ずつシリアルに出力される統合補正データとの加減算処理を行い、表示用画像データに対する輝度ムラの補正処理を行うことができる。また、１画素分の表示用画像データと１画素分の統合補正データとを加減算処理する加減算器３６を備えるだけでよいので、上述した従来技術のように表示用画像データに補正データを乗算する構成に比べて、乗算器やビット圧縮回路を備える必要がないので、回路規模を大幅に縮小し、製造コストを大幅に低減することができる。
【０１４４】
〔実施形態３〕
本発明のさらに他の実施形態について説明する。なお、説明の便宜上、上述した実施形態と同様の機能を有する部材については同じ符号を付し、その説明を省略する。
【０１４５】
図１７は、本実施形態にかかる表示装置２０に備えられる駆動制御装置２２ｃの構成を示すブロック図である。駆動制御装置２２ｃは、実施形態１における駆動制御装置２２ａに代えて表示装置２０に備えられる。この図に示すように、駆動制御装置２２ｃは、加減算器３６に代えて加減算器３６ｂが備えられている点、直列入力並列出力型のシフトレジスタ３７が補正データ作成部４１と加減算器３６ｂとの間に設けられている点、および並列入力直列出力型のシフトレジスタ４４が設けられておらず、ＲＡＭ４３からの出力が加減算器３６ｂに直接入力される点が実施形態２における駆動制御装置２２ｂと異なっている。
【０１４６】
シフトレジスタ３７は、補正データ作成部４１から１画素分ずつシリアルに出力される統合補正データをパラレルに変換し、１ライン（１ゲートライン）分ずつ加減算器３６ｂに出力する。
【０１４７】
加減算器（並列加減算器）３６ｂは、ＲＡＭ４３から１ライン（１ゲートライン）分ずつパラレルに出力される表示用画像データにおける各画素のデータと、シフトレジスタ３７から１ライン（１ゲートライン）分ずつパラレルに出力される表示用画像データにおける各画素のデータとを加減算処理し、第１ラッチ部３８に１ライン（１ゲートライン）分ずつパラレルに出力する。具体的には、加減算器３６ｂは、１画素分の表示用画像データと１画素分の統合補正データとを加減算処理する加減算器をソースラインの数と同数備えており、１ライン（１ゲートライン）分の加減算処理を並行して行うようになっている。
【０１４８】
以上のように、本実施形態では、１フレーム分の表示用画像データを１ライン（１ゲートライン）分ずつパラレルに出力するＲＡＭ４３と、補正データ作成部４１から１画素分ずつシリアルに出力される統合補正データをパラレルに変換し、１ライン（１ゲートライン）分ずつ加減算器３６ｂに出力するシフトレジスタ３７とを備えている。また、加減算器３６ｂは、１ライン（１ゲートライン）分の各画素についての加減算処理を並行して行う。
【０１４９】
これにより、表示用画像データをパラレルに出力するＲＡＭ４３を備えた構成であっても、表示用画像データに対する輝度ムラの補正処理を行うことができる。また、１ライン分の表示用画像データと１ライン分の統合補正データとを加減算処理する加減算器３６ｂを備えるだけでよいので、上述した従来技術のように表示用画像データに補正データを乗算する構成に比べて、乗算器やビット圧縮回路を備える必要がないので、回路規模を大幅に縮小し、製造コストを大幅に低減することができる。
【０１５０】
〔実施形態４〕
本発明のさらに他の実施形態について説明する。なお、説明の便宜上、上述した実施形態と同様の機能を有する部材については同じ符号を付し、その説明を省略する。
【０１５１】
図１８は、本実施形態にかかる表示装置２０に備えられる駆動制御装置２２ｄの構成を示すブロック図である。駆動制御装置２２ｄは、実施形態１における駆動制御装置２２ａに代えて表示装置２０に備えられる。この図に示すように、駆動制御装置２２ｄは、補正データ作成部４１、加減算器３６、第１ラッチ部３８、第２ラッチ部３９、Ｄ／Ａ変換部４０、フレーム比較部４２、ＲＡＭ４３、逆変換データ生成部４５、および第２加減算器４６を備えている。
【０１５２】
加減算器３６は、フレーム比較部４２から１画素ずつシリアルに入力される表示用画像データと補正データ作成部４１から１画素分ずつシリアルに入力される統合補正データとの加減算処理を行い、加減算処理後の表示用画像データをＲＡＭ４３に格納する。また、加減算器３６は、各画素についての加減算処理の結果を逆変換データ生成部４５に出力する。
【０１５３】
ＲＡＭ４３は、１ライン（１ゲートライン）分の表示用画像データを格納し、格納した表示用画像データを所定のタイミングで第１ラッチ部３８に１ライン（１ゲートライン）分ずつパラレルに出力する。
【０１５４】
逆変換データ生成部４５は、加減算器３６から入力される加減算処理の結果に基づいて、ＲＡＭ４３に格納されている加減算処理後の表示用画像データを加減算処理前の表示用画像データに戻すための逆変換データを生成し、第２加減算器４６に出力する。例えば、加減算処理によって１階調高くされた画素については１階調低くするための逆変換データを生成し、加減算処理によって１階調低くされた画素については１階調高くするための逆変換データを生成する。
【０１５５】
第２加減算器４６は、ＲＡＭ４３に格納されている表示用画像データに対して、逆変換データ生成部４５から入力される逆変換データを加減算処理することにより、ＲＡＭ４３に格納されている表示用画像データに対して加減算器３６による加減算処理の逆処理を行い、加減算処理が施される前の状態に復元してフレーム比較部４２に出力する。
【０１５６】
フレーム比較部４２は、第２加減算器４６から入力される表示用画像データと、外部から入力される次のフレームの表示用画像データとを比較する。そして、両表示用画像データが異なっている場合、次のフレームの表示用画像データを加減算器３６に出力し、統合補正データの加減算処理を行わせる。一方、両表示用画像データが同じである場合、フレーム比較部４２は、加減算器３６による加減算処理を行わせず、ＲＡＭ４３に格納されている前のフレームの表示用画像データをＲＡＭ４３から第１ラッチ部３８に出力させて表示を行わせる。
【０１５７】
以上のように、本実施形態では、輝度ムラ補正のための加減算処理が施された１フレーム分の表示用画像データを格納するＲＡＭ４３と、ＲＡＭ４３に格納されている表示用画像データに対して上記加減算処理が施される前の表示用画像データに戻すための逆変換処理を行う逆変換データ生成部４５および第２加減算器４６と、逆変換処理が施された１フレーム分の表示用画像データと外部から入力される次のフレームの表示用画像データとを比較するフレーム比較部とを備えている。
【０１５８】
これにより、表示用画像データをパラレルに出力するＲＡＭ４３を備えた構成であっても、表示用画像データに対する輝度ムラの補正処理を行うことができる。また、１画素分の表示用画像データと１画素分の統合補正データとを加減算処理する加減算器３６ｂを備えるだけでよいので、上述した従来技術のように表示用画像データに補正データを乗算する構成に比べて、乗算器やビット圧縮回路を備える必要がないので、回路規模を大幅に縮小し、製造コストを大幅に低減することができる。
【０１５９】
また、ＲＡＭ４３に格納されている輝度ムラ補正後の１フレーム分の表示用画像データを逆変換処理して得られる輝度ムラ補正前の１フレーム分の表示用画像データと、輝度ムラ補正前の次のフレームの表示用画像データとを比較し、両表示用画像データが同じである場合には、加減算器３６による輝度ムラ補正処理（加減算処理）を省略してＲＡＭ４３に格納する表示用画像データの更新を行わず、ＲＡＭ４３に既に格納されている輝度ムラ補正後の表示用画像データに基づいて表示を行うことができる。これにより、処理効率を向上させ、消費電力の低減を図ることができる。
【０１６０】
なお、輝度ムラは、一般に、中間調の画像（特に濃いグレーの画像）を表示させた場合に視認されやすく、白画像（あるいは白に近い画像）や黒画像（あるいは黒に近い画像）を表示させた場合には比較的視認されにくい。このため、白画像や黒画像を表示させる場合に上述した輝度ムラの補正処理を行うと、補正した領域が不自然に視認されてしまう場合がある。
【０１６１】
このため、上記の各実施形態において、輝度ムラの補正処理の対象とする表示用画像データの上限値および下限値を予め設定しておき、補正処理前の表示用画像データの階調レベルが上限値以上の場合および下限値以下の場合には補正処理を行わないようにしてもよい。例えば、補正データ作成部４１からフレーム比較部４２に統合補正データを入力し、フレーム比較部４２が外部から入力される表示用画像データにおける補正領域に属する画素の階調値の平均値と上記上限値および上記下限値とを比較し、上限値以上の補正領域および下限値以下の補正領域については補正処理（加減算処理）を行わせないように加減算器３６を制御するようにしてもよい。
【０１６２】
一般的には、濃いグレーの画像を表示させた場合に輝度ムラが視認されやすいことから、例えば、下限値を階調値の最大値（白画像）の１０％、上限値を階調値の最大値の８０％に設定すればよい。具体的には、例えば、表示用画像データの取り得る階調値０〜６３（０が黒画像、６３が白画像）に対して、下限値を階調値６、上限値を階調値５１に設定し、補正処理前の表示用画像データにおける各画素の階調値の平均値が６以下である補正領域および５１以上である補正領域については輝度ムラの補正処理を行わないようにすればよい。
【０１６３】
なお、上記の上限値および下限値は、例えば、各階調レベルの画像データに応じた画像を表示パネル２１に表示させた場合の輝度ムラの目視試験や、各階調レベルの画像データに補正処理を施して表示した場合に補正領域が不自然に視認されるか否かの目視試験の結果に応じて適宜設定すればよい。
【０１６４】
また、補正領域に属する各画素の階調値の平均値と上限値および下限値とを比較する構成に限らず、例えば、補正領域に属する各画素の階調値の最大値、最小値、最大値と最小値の中間値、補正領域に属する各画素うちの一部の画素についての階調値の平均値、最大値、最小値、最大値と最小値の中間値のうちのいずれかと、上限値および下限値とを比較するようにしてもよい。
【０１６５】
また、表示用画像データにおける補正領域に含まれる各画素の階調値と、予め定められた上限値および下限値とを比較し、階調値が上記上限値以上である画素および上記下限値以下である画素については階調値を補正しない構成としてもよい。
【０１６６】
また、上記各実施形態では、スジ状の輝度ムラおよび斑点状の輝度ムラの両方を補正するための補正データを表示用画像データに加減算処理する構成について説明したが、これに限るものではない。例えば、スジ状の輝度ムラまたは斑点状の輝度ムラの一方のみを補正するための補正データを表示用画像データに加減算処理する構成としてもよい。また、輝度ムラの補正データを表示用画像データに加減算処理する構成に限らず、例えば表示装置が液晶表示装置である場合にバックライトからの照射光の輝度のばらつきに起因する表示画像のムラを補正するための補正データを表示用画像データに加減算処理する構成としてもよい。また、複数の表示パネルを組み合わせて表示画面を形成している表示装置において、各表示パネルの協会部近傍において各表示パネルの特性のばらつきに起因する表示画像のムラを補正するための補正データを表示用画像データに加減算処理する構成としてもよい。
【０１６７】
また、上記各実施形態では、補正データ生成用データ作成装置１０が表示装置２０とは別に備えられているものとしたが、これに限るものではなく、補正データ生成用データ作成装置１０の一部または全部が表示装置２０に備えられている構成としてもよい。補正データ生成用データ作成装置１０のうち、撮像部１２を除く各部を表示装置２０に設け、撮像部１２によって表示パネル２１の表示画面を撮像して取得した撮像データを表示装置２０内に設けられた補正データ生成用データ作成装置１０に入力するようにしてもよい。
【０１６８】
また、上記各実施形態において、補正データ生成用データ作成装置１０あるいは駆動制御装置２２ａ〜２２ｄに備えられる各部（各ブロック）を、ＣＰＵ等のプロセッサを用いてソフトウェアによって実現してもよい。この場合、これら各ブロックは、各機能を実現する制御プログラムの命令を実行するＣＰＵ（central processing unit）、上記プログ
ラムを格納したＲＯＭ（read only memory）、上記プログラムを展開するＲＡＭ（randomaccess memory）、上記プログラムおよび各種データを格納するメモリ等の記憶装置（記録媒体）などを備えている。そして、本発明の目的は、上述した機能を実現するソフトウェアである上記各ブロックの制御プログラムのプログラムコード（実行形式プログラム、中間コードプログラム、ソースプログラム）をコンピュータで読み取り可能に記録した記録媒体を、補正データ生成用データ作成装置１０あるいは駆動制御装置２２ａ〜２２ｄに供給し、そのコンピュータ（またはＣＰＵやＭＰＵ）が記録媒体に記録されているプログラムコードを読み出し実行することによって達成される。
【０１６９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７０】
また、補正データ生成用データ作成装置１０あるいは駆動制御装置２２ａ〜２２ｄを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等
が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１７１】
また、補正データ生成用データ作成装置１０あるいは駆動制御装置２２ａ〜２２ｄの各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１７２】
また、上記の各実施形態では、本発明を液晶表示装置に適用する場合について説明したが、本発明の適用対象はこれに限るものではなく、例えばプラズマディスプレイ、有機ＥＬディスプレイ等の表示装置にも適用できる。
【０１７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７４】
本発明の表示装置は、表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置であって、上記駆動制御部は、上記輝度ムラを補正するための階調補正値を画素毎に示した補正データにおける各画素の階調補正値を、当該各画素に対応する上記表示用画像データの画素の輝度値に加算または減算することによって上記補正処理を行う加減算部を備えている構成としてもよい。
【０１７５】
また、本発明の表示装置の輝度ムラ補正方法は、表示用画像データに応じた画像を表示するための表示画面と、上記表示用画像データに対して上記表示画面の輝度ムラを補正するための補正処理を施し、補正処理後の表示用画像データに基づいて上記表示画面の各画素の表示状態を制御する駆動制御部とを備えた表示装置における上記表示画面の輝度ムラ補正方法であって、上記輝度ムラを補正するための階調補正値を画素毎に示した補正データにおける各画素の階調補正値を、当該各画素に対応する上記表示用画像データの画素の輝度値に加算または減算することによって上記補正処理を行う加減算工程を含む方法としてもよい。
【０１７６】
上記の表示装置および輝度ムラ補正方法によれば、輝度ムラを補正するための階調補正値を画素毎に示した補正データにおける各画素の階調補正値を当該各画素に対応する表示用画像データの画素の輝度値に加算または減算することによって表示用画像データの補正処理を行う。これにより、上述した従来の技術に比べて、乗算器やビット圧縮回路を備える必要がないので、回路規模を大幅に縮小し、製造コストを大幅に低減することができる。
【０１７７】
また、上記加減算部は、上記表示用画像データおよび上記補正データがそれぞれ１画素分ずつ直列に入力されるようになっており、直列に入力される上記表示用画像データの各画素の輝度値に対して、当該各画素に対応する上記補正データの画素の階調補正値を１画素ずつ順次、加算または減算する構成としてもよい。
【０１７８】
上記の構成によれば、表示用画像データの補正処理を、より簡単な構成の加減算部で実現することができる。
【０１７９】
また、上記表示画面は、互いに平行に配置された多数の走査信号線と互いに平行に配置された多数のデータ信号線とが交差するように配置され、上記走査信号線と上記データ信号線との交差部毎に画素が設けられており、１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、上記ＲＡＭから出力された上記表示画面の１走査信号線に対応する画素毎の表示用画像データを１画素分ずつ直列に出力する並列入力直列出力型のシフトレジスタとを備え、上記加減算部は、上記シフトレジスタから１画素分ずつ直列に出力される上記表示用画像データの各画素の輝度値に対して、当該各画素に対応する上記補正データの画素の階調補正値を１画素ずつ順次、加算または減算する構成としてもよい。
【０１８０】
１フレーム分の上記表示用画像データを記憶するＲＡＭ（いわゆるフレームバッファ）を備えた構成では、ＲＡＭからの出力は一般に１走査信号線毎（あるいは１走査信号線上の各画素を複数の画素からなるグループに分割したグループ毎）に並列に出力される。これに対して、上記の構成では、ＲＡＭから１走査信号線毎（あるいは上記グループ毎）に並列に出力された表示用画像データが入力され、入力された表示用画像データを加減算部に対して１画素ずつ直列に出力する並列入力直列出力型のシフトレジスタを備えている。これにより、加減算部において、直列に入力される表示用画像データの各画素の輝度値に対して、当該各画素に対応する補正データの画素の階調補正値を１画素ずつ順次、加算または減算することができる。したがって、表示用画像データを表示画面の１走査信号線に対応する画素毎あるいは１走査信号線に対応する各画素を複数の画素からなるグループに分割したグループ毎に並列に出力するＲＡＭを備えた構成であっても、簡単な構成の加減算部で補正処理を行うことができる。
【０１８１】
また、上記表示画面は、互いに平行に配置された多数の走査信号線と互いに平行に配置された多数のデータ信号線とが交差するように配置され、上記走査信号線と上記データ信号線との交差部毎に画素が設けられており、上記加減算部によって上記補正処理が施された１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、上記加減算部によって上記補正処理が施されて上記ＲＡＭに記憶されている表示用画像データに対して上記補正処理の逆処理を行い、上記補正処理が施される前の表示用画像データを復元する逆変換処理部と、上記逆変換処理によって復元された上記表示用画像データと、上記ＲＡＭに記憶されている表示用画像データの次に表示を行うフレームである第２フレームの表示用画像データとを比較するフレーム比較部とを備え、上記加減算部は、上記逆変換処理によって復元された上記表示用画像データと上記第２フレームの表示用画像データとが異なると上記フレーム比較部が判断した場合に、上記第２フレームの表示用画像データの各画素の輝度値に対して、当該各画素に対応する上記補正データの画素の階調補正値を加算または減算することによって上記補正処理を行い、上記ＲＡＭに記憶させる１フレーム分の表示用画像データを上記補正処理後の表示用画像データに更新する一方、上記逆変換処理によって復元された上記表示用画像データと上記第２フレームの表示用画像データとが同じであると上記フレーム比較部が判断した場合には上記ＲＡＭに記憶させる表示用画像データの更新を行わない構成としてもよい。
【０１８２】
上記の構成によれば、逆変換処理部がＲＡＭに格納されている補正処理後の表示用画像データに対して逆変換処理を行って補正処理前の表示用画像データを復元する。これにより、フレーム比較部において現フレームの表示用画像データ（ＲＡＭに格納されている表示用画像データに対して逆変換処理を施した表示用画像データ）と次フレーム（第２フレーム）の表示用画像データとを比較する際、補正処理が施されていない状態の表示用画像データ同士を比較することができる。したがって、現フレームの表示用画像データと次フレームの表示用画像データとが同じであるか否かを適切に判断することができる。また、加減算部では、ＲＡＭに格納する前の表示用画像データおよび補正データがそれぞれ１画素分ずつ直列に入力されるので、直列に入力される表示用画像データの各画素の輝度値に対して当該各画素に対応する補正データの画素の階調補正値を１画素ずつ順次、加算または減算することで補正処理を行える。したがって、簡単な構成で補正処理を行うことができる。
【０１８３】
また、上記表示画面は、互いに平行に配置された多数の走査信号線と互いに平行に配置された多数のデータ信号線とが交差するように配置され、上記走査信号線と上記データ信号線との交差部毎に画素が設けられており、１フレーム分の上記表示用画像データを記憶し、記憶した表示用画像データを上記表示画面の１走査信号線に対応する画素毎あるいは１走査信号線に対応する各画素を複数の画素からなるグループに分割したグループ毎に並列に出力するＲＡＭと、１画素分ずつ直列に入力される上記補正データを上記表示画面の１走査信号線に対応する画素毎に対応する画素毎に並列に出力する直列入力並列出力型のシフトレジスタとを備え、上記加減算部は、上記ＲＡＭから上記表示画面の１走査信号線に対応する画素毎に並列に入力される上記表示用画像データの各画素に対して、上記シフトレジスタから上記表示画面の１走査信号線に対応する画素毎に並列に入力される補正データにおける上記各画素に対応する画素の階調補正値を並行して加算または減算する構成としてもよい。
【０１８４】
上記の構成によれば、１走査信号線に対応する各画素に対する加算または減算処理を並行して行うので、処理時間の短縮を図ることができる。また、上記の加減算部は、例えば、１走査信号線に対応する画素の数に応じた加減算器を備えるだけで実現できるので、上述した従来技術のように乗算器やビット圧縮器を備える必要がなく、簡単な構成で表示用画像データの補正を行うことができる。
【０１８５】
また、上記駆動制御部は、上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域とを含む領域である補正領域に含まれる画素の階調値を補正するための補正データの生成に用いる補正データ生成用データを記憶する補正データ生成用データ記憶部と、上記表示用画像データに応じた画像を上記表示画面に表示させる際に、上記補正データ生成用データに基づいて上記補正領域に含まれる画素のうちの少なくとも一部の画素の階調値を変化させるように上記表示用画像データを補正するための上記補正データを生成する補正データ作成部とを備え、上記加減算部は、上記補正データ作成部が生成した補正データにおける各画素の階調補正値を、当該各画素に対応する上記表示用画像データの画素の輝度値に加算または減算する構成としてもよい。
【０１８６】
上記の構成によれば、検査用画像データに応じた画像を表示画面に表示させたときの輝度ムラの発生状況に応じて補正データを作成し、作成した補正データに応じて輝度ムラの補正処理を行うことができる。これにより、輝度ムラを適切に補正できる。
【０１８７】
また、上記表示画面は、互いに平行に配置された多数の走査信号線と互いに平行に配置された多数のデータ信号線とが交差するように配置され、上記走査信号線と上記データ信号線との交差部毎に画素が設けられており、上記補正データ生成用データ記憶部は、上記表示画面においてデータ信号線の延伸方向に平行な方向に延伸するように存在するスジ状の輝度ムラを補正するための第１補正データの生成に用いる第１補正データ生成用データを記憶する第１補正データ生成用データ記憶部と、上記表示画面において局所的に存在する斑点状の輝度ムラを補正するための第２補正データの生成に用いる第２補正データ生成用データを記憶する第２補正データ生成用データ記憶部とを備え、上記補正データ作成部は、上記表示用画像データに応じた画像を上記表示画面に表示させる際に、上記第１補正データ生成用データに基づいて、スジ状の輝度ムラに対応する上記補正領域に含まれる画素のうちの少なくとも一部の画素の階調値を変化させるように上記表示用画像データを補正するための上記第１補正データを生成する第１補正データ作成部と、上記表示用画像データに応じた画像を上記表示画面に表示させる際に、上記第２補正データ生成用データに基づいて、斑点状の輝度ムラに対応する上記補正領域に含まれる画素のうちの少なくとも一部の画素の階調値を変化させるように上記表示用画像データを補正するための上記第２補正データを生成する第２補正データ作成部と、上記第１補正データおよび上記第２補正データを統合した統合補正データを生成する統合処理部とを備えており、上記加減算部は、上記統合補正データにおける各画素の階調補正値を、当該各画素に対応する上記表示用画像データの画素の輝度値に加算または減算することによって上記補正処理を行う構成としてもよい。
【０１８８】
上記の構成によれば、スジ状の輝度ムラおよび斑点状の輝度ムラを、簡単な回路で補正することができる。また、スジ状の輝度ムラを補正するための第１補正データを生成する第１補正データ作成部と斑点状の輝度ムラを補正するための第２補正データを生成する第２補正データ作成部とを別々に設けているので、第１補正データおよび第２補正データを、それぞれの輝度ムラの特性に応じたアルゴリズムで作成することができる。
【０１８９】
また、上記駆動制御部は、上記表示用画像データにおける上記補正領域に含まれる画素の階調値の平均値、最大値、最小値、最大値と最小値との中間値、あるいは上記補正領域に含まれる画素のうちの一部の画素の階調値の平均値、最大値、最小値、最大値と最小値との中間値のうちのいずれか１つの値と、予め定められた上限値および下限値とを比較し、上記いずれか１つの値が上記上限値以上である場合および上記いずれか１つの値が上記下限値以下である場合には、上記表示用画像データにおける上記補正領域に属する画素の階調値を補正しない構成としてもよい。
【０１９０】
また、上記駆動制御部は、上記表示用画像データにおける上記補正領域に含まれる各画素の階調値と、予め定められた上限値および下限値とを比較し、階調値が上記上限値以上である画素および上記下限値以下である画素については階調値を補正しない構成としてもよい。
【０１９１】
一般に、輝度ムラは中間調の画像（特に濃いグレーの画像）を表示させた場合に視認されやすく、白画像（あるいは白に近い画像）や黒画像（あるいは黒に近い画像）を表示させた場合には比較的視認されにくいため、白画像や黒画像に対して輝度ムラの補正処理を行うと補正した領域がかえって不自然に視認されてしまう。これに対して、上記の各構成によれば、輝度ムラの補正処理によって補正した領域が不自然に視認されてしまうことを防止できる。
【０１９２】
また、上記補正データ作成部は、上記補正領域に含まれる画素のうちの一部の画素を調整補正画素として選択し、調整補正画素に対する階調値の補正量を当該補正領域に含まれる調整補正画素以外の画素に対する階調値の補正量と異ならせる構成としてもよい。
【０１９３】
上記の構成によれば、視認される画像を補正領域内の全画素の輝度値を表示用画像データの１階調分に相当する輝度値未満（あるいは表示用画像データの小数部分が０でない階調値に相当する輝度値）だけ一律に変化させた場合の画像に近づけることができる。すなわち、補正領域の全画素の輝度値を擬似的に表示用画像データの１階調分に相当する輝度値未満（あるいは表示用画像データの小数部分が０でない階調値に相当する輝度値）だけ補正することができる。したがって、輝度ムラが視認されることをより適切に防止することができる。
【０１９４】
例えば、携帯型の電子機器等に備えられる中型・小型の表示装置などにはＲＧＢ各色６ｂｉｔの映像信号を用いて表示を行うものがあるが、これらの表示装置では映像信号における各階調間の輝度値の幅がＲＧＢ各色８ｂｉｔ等の表示装置に比べて大きくなる。このため、輝度ムラを補正するための補正値の大きさが映像信号の１階調に相当する値未満である場合が多く、従来のように補正領域内の階調補正値を一律にする構成では、補正量が不足したり補正量が多すぎたりして輝度ムラを適切に補正できなかった。これに対して、上記の構成によれば、視認される画像を、補正領域内の各画素を１階調分に相当する輝度値未満（あるいは表示用画像データの小数部分が０でない階調値に相当する輝度値）だけ一律に変化させた場合の画像に近づけることができるので、輝度ムラをより適切に補正できる。
【０１９５】
また、上記補正データ作成部は、上記調整補正画素同士が上記補正領域内において密集せずに分散するように各調整補正画素を選択する構成であってもよい。
【０１９６】
上記の構成によれば、補正領域内における調整補正画素の位置を分散させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【０１９７】
また、上記補正データ作成部は、上記調整補正画素として選択する画素を上記補正領域内において所定期間毎に変更する構成としてもよい。
【０１９８】
上記の構成によれば、補正領域内における調整補正画素の位置を所定期間毎に変化させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【産業上の利用可能性】
【０１９９】
本発明は、液晶表示装置、プラズマディスプレイ、有機ＥＬディスプレイ等の各種表示装置、およびこれらの表示装置に適用できる。
【符号の説明】
【０２００】
１０    補正データ生成用データ作成装置
２０    表示装置
２１    表示パネル
２２ａ〜２２ｄ    駆動制御装置
３１    第１補正データ生成用データ記憶部
３１ｂ  第２補正データ生成用データ記憶部
３２    第１復号部（第１補正データ作成部）
３２ｂ  第２復号部（第２補正データ作成部）
３３    第１空間分散処理部（第１補正データ作成部）
３３ｂ  第２空間分散処理部（第２補正データ作成部）
３４    第１時間分散処理部（第１補正データ作成部）
３４ｂ  第２時間分散処理部（第２補正データ作成部）
３５    統合処理部
３６    加減算器（加減算部）
３６ｂ    加減算器（並列加減算器、加減算部）
３７    シフトレジスタ（直列入力並列出力型のシフトレジスタ）
３８    第１ラッチ部
３９    第２ラッチ部
４０    Ｄ／Ａ変換部
４１    補正データ作成部
４２    フレーム比較部
４３    ＲＡＭ（フレームバッファ）
４４    シフトレジスタ（並列入力直列出力型のシフトレジスタ）
４５    逆変換データ生成部（逆変換処理部）
４６    第２加減算器（逆変換処理部）
【図１】
0005389966.tif 000002
【図２】
0005389966.tif 000003
【図３】
0005389966.tif 000004
【図４】
0005389966.tif 000005
【図５】
0005389966.tif 000006
【図６】
0005389966.tif 000007
【図７】
0005389966.tif 000008
【図８】
0005389966.tif 000009
【図９】
0005389966.tif 000010
【図１０】
0005389966.tif 000011
【図１１】
0005389966.tif 000012
【図１２】
0005389966.tif 000013
【図１３】
0005389966.tif 000014
【図１４】
0005389966.tif 000015
【図１５】
0005389966.tif 000016
【図１６】
0005389966.tif 000017
【図１７】
0005389966.tif 000018
【図１８】
0005389966.tif 000019